(57)【要約】【課題】根掛かりによる不具合や、ハリスが絡まったり、掛け針が引っ掛かることによる不具合を防止し、釣果の向上を図ることができる釣り用おもりを提供する。【解決手段】釣り用おもり５−１は、おもり体１０と、餌付け針３０と、垂下体４０と、アーム状ユニット５０と、固定具４６とを有し、垂下体３０は、略直線状の棒状を呈し、アーム状ユニット５０は、餌付け針３０の下端よりも下側に向けて形成されたアーム状部５２と、アーム状部５２の先端に設けられたハリス連結部５４とを有している。餌付け針３０と、垂下体３９と、アーム状部５２と、ハリス連結部５４とが、同一平面方向に形成されている。垂下体４０と、アーム状ユニット５０とは、それぞれ１本の線条材により形成されている。【選択図】図２
2015080417.tif 000002
【特許請求の範囲】
【請求項１】
フグ釣り用の仕掛けを組み立てるために用いられる釣り用おもりであって、
道糸を連結するための道糸連結部（２０）を上部に有するおもり体（１０、１００）と、
おもり体の下部から垂下して設けられた餌付け針で、魚を誘い寄せる釣り餌を掛け付けるための餌付け針（３０）と、
おもり体の下部から垂下して設けられた下方構成部（Ａ１、Ａ３）と、を有し、
餌付け針は、直線形状を呈する軸部で、その上端部がおもり体の下部に固定されて、下方に伸びた軸部（３２）と、軸部の下端部から連設された湾曲部で、軸部の下端部から上方に向けて半円弧形状に湾曲して形成された湾曲部（３４）と、湾曲部における軸部側とは反対側の端部から連設された針先部（３６）と、針先部の側部に設けられたカエシ部（３８）とを有し、軸部と湾曲部と針先部とカエシ部とが同一平面方向である特定平面方向に沿って形成され、
下方構成部は、
おもり体の下部から下方に垂下した設けられた略直線状の棒状の第１構成部で、餌付け針の軸部の針先部側とは反対側に該軸部と略平行に設けられ、その下端が、餌付け針の下端よりも下側に位置する第１構成部（４０）と、
第１構成部における上下方向の途中位置から形成された第２構成部で、第１構成部における上下方向の途中位置から餌付け針の下端よりも下側に向けて形成されたアーム状部（５２）と、アーム状部の先端に設けられるとともに、第１構成部の下端よりも上側に設けられた連結部で、ハリスを連結するための連結部（５４）とを有する第２構成部（５０）と、を有し、
第１構成部と第２構成部におけるアーム状部と連結部とが、上記特定平面方向に沿って形成されていること特徴とする釣り用おもり。
【請求項２】
該第１構成部が、１本の線条材である第１線条材により形成され、
該第２構成部が、第１構成部を構成する線条材とは別の１本の線条材である第２線条材により形成され、第２線条材の第１構成部側の端部である基部（５２ａ）が第１線条材に沿った状態で固定され、第２線条材における該基部の下端から連設された領域であるアーム状部本体（５２ｂ）が先端側にいくほど第１構成部から離れるように形成され、該基部と該アーム状部本体により該アーム状部が構成され、第２線条材の先端領域で、第２線条材のアーム状部本体における基部とは反対側の端部から連設された先端領域を巻回することにより上記連結部が構成され、
第２構成部におけるアーム状部及び連結部が、上記特定平面方向に沿って形成され、連結部が、餌付け針の下方位置に設けられていることを特徴とする請求項１に記載の釣り用おもり。
【請求項３】
フグ釣り用の仕掛けを組み立てるために用いられる釣り用おもりであって、
道糸を連結するための道糸連結部（２０）を上部に有するおもり体（１０、１００）と、
おもり体の下部から垂下して設けられた餌付け針で、魚を誘い寄せる釣り餌を掛け付けるための餌付け針（３０）と、
おもり体の下部から垂下して設けられた下方構成部（Ａ２、Ａ４）と、を有し、
餌付け針は、直線形状を呈する軸部で、その上端部がおもり体の下部に固定されて、下方に伸びた軸部（３２）と、軸部の下端部から連設された湾曲部で、軸部の下端部から上方に向けて半円弧形状に湾曲して形成された湾曲部（３４）と、湾曲部における軸部側とは反対側の端部から連設された針先部（３６）と、針先部の側部に設けられたカエシ部（３８）とを有し、軸部と湾曲部と針先部とカエシ部とが同一平面方向である特定平面方向に沿って形成され、
下方構成部は、
おもり体の下部から下方に垂下した設けられた略直線状の棒状の第１構成部で、上記特定平面方向に沿って形成され、餌付け針の軸部の針先部側とは反対側に該軸部と略平行に設けられ、その下端が、餌付け針の下端よりも下側に位置する第１構成部（７００）と、
第１構成部における上下方向の途中位置から形成された第２構成部で、
第１構成部における上下方向の途中位置から餌付け針の下端よりも下側に向けて形成され、上面視において、上記特定平面方向に対して鋭角をなすとともに、餌付け針における針先部側を正面側とした場合に、該特定平面方向に対して右側面側に向けて形成された第１アーム状部（８４１）と、第１アーム状部の先端に設けられるとともに、第１構成部の下端よりも上側に設けられた第１連結部で、ハリスを連結するための第１連結部（８５１）とを有する第２右側構成部（８０１）と、
第１構成部における上下方向の途中位置から餌付け針の下端よりも下側に向けて形成され、上面視において、上記特定平面方向に対して鋭角をなすとともに、餌付け針における針先部側を正面側とした場合に、該特定平面方向に対して左側面側に向けて形成された第２アーム状部（８４２）と、第２アーム状部の先端に設けられるとともに、第１構成部の下端よりも上側に設けられた第２連結部で、ハリスを連結するための第２連結部（８５２）とを有する第２左側構成部（８０２）と、を有する第２構成部（８００）と、
を有していることを特徴とする釣り用おもり。
【請求項４】
該第１構成部が、１本の線条材である第１線条材により形成され、
該第２構成部が、第１構成部を構成する線条材とは別の１本の線条材である第２線条材により形成され、
第２線条材の折返し位置から下方に伸びた一方の領域である第１基部（８４１ａ）と他方の領域である第２基部（８４２ａ）とが第１線条材に沿った状態で固定され、第１基部と第２基部の少なくともいずれか一方が第１線条材と束ねた状態で固定され、
第２線条材における該第１基部の下端から連設された領域である第１アーム状部本体（８４１ｂ）が先端側にいくほど第１構成部から離れるように形成され、該第１基部と該第１アーム状部本体により該第１アーム状部が構成され、第２線条材の先端領域で、第２線条材における第１アーム状部本体における第１基部とは反対側の端部から連設された先端領域を巻回することにより上記第１連結部が構成され、
第２線条材における該第２基部の下端から連設された領域である第２アーム状部本体（８４２ｂ）が先端側にいくほど第１構成部から離れるように形成され、該第２基部と該第２アーム状部本体により該第２アーム状部が構成され、第２線条材の先端領域で、第２線条材における第２アーム状部本体における第２基部とは反対側の端部から連設された先端領域を巻回することにより上記第２連結部が構成され、
第２構成部における第２右側構成部と第２左側構成部とが、上記特定平面方向を介して略対称位置に設けられていることを特徴とする請求項３に記載の釣り用おもり。
【請求項５】
フグ釣り用の仕掛けを組み立てるために用いられる釣り用おもりであって、
道糸を連結するための道糸連結部（２０）を上部に有するおもり体（１００）と、
おもり体の下部から垂下して設けられた餌付け針で、魚を誘い寄せる釣り餌を掛け付けるための餌付け針（３０）と、
おもり体の下部から垂下して設けられた下方構成部（９００）と、を有し、
餌付け針は、直線形状を呈する軸部で、その上端部がおもり体の下部に固定されて、下方に伸びた軸部（３２）と、軸部の下端部から連設された湾曲部で、軸部の下端部から上方に向けて半円弧形状に湾曲して形成された湾曲部（３４）と、湾曲部における軸部側とは反対側の端部から連設された針先部（３６）と、針先部の側部に設けられたカエシ部（３８）とを有し、軸部と湾曲部と針先部とカエシ部とが同一平面方向である特定平面方向に沿って形成され、
下方構成部は、
おもり体の下部から下方に垂下した設けられた略直線状の棒状の垂下体で、餌付け針の軸部の針先部側とは反対側に該軸部と略平行に設けられた垂下体（９１０）と、
垂下体における下端から餌付け針の下端よりも下側に向けて形成されたアーム状部（９２０）と、
アーム状部の先端に設けられた連結部で、ハリスを連結するための連結部（９３０）と、
該垂下体とアーム状部と連結部とが、上記特定平面方向に沿って形成されていることを特徴とする釣り用おもり。
【請求項６】
該下方構成部が、１本の線条材により形成され、アーム状部が、連結部側にいくほど垂下体の仮想延長線から離れるように形成され、線条材の先端領域で、アーム状部における垂下体とは反対側の端部から連設された先端領域を巻回することにより上記連結部が構成されることを特徴とする請求項５に記載の釣り用おもり。
【請求項７】
おもり体が、回転体形状を呈する本体部（１１０）と、本体部の側面から突出して形成され、平板形状を呈する潮切り板部（１２０）とを有し、
本体部の上下方向の中心軸と潮切り板部とは、上記特定平面方向に沿って形成され、
本体部の上下方向の中心軸は、餌付け針の軸部と略平行に設けられ、
餌付け針における針先部側を正面側とした場合に、潮切り板部は、本体部の正面側の側面からに突出して形成されていることを特徴とする請求項１又は２又は３又は４又は５又は６に記載の釣り用おもり。
【発明の詳細な説明】
【技術分野】
【０００１】
本発明は、釣り用おもり（釣り用錘としてもよい。他においても同じ）に関するものであり、特に、フグを対象魚とするカットウ釣りに用いられる魚釣り用おもりに関するものである。
【背景技術】
【０００２】
従来より、フグ釣り方法の一つとして、カットウ釣りが知られている。カットウ釣りとは、餌付け針と掛け針（カットウ針）との２種類の釣り針を使用し、餌付け針に付けた餌でフグを誘い、フグが餌を啄（ついば）むタイミングをみて釣り竿を上下動させることにより、掛け針をしゃくり、フグに引っ掛け、釣り上げる釣魚方法のことである。
【０００３】
このフグ釣り方法に用いられる釣り用仕掛けとして、例えば、以下のものが知られている。つまり、下記特許文献１の図３に示されている釣り用仕掛け（背景技術１）は、フグ釣り用の仕掛けとしては一般的なものであり、この仕掛けは専用のおもりを用いて構成され、該おもりは、鶏卵形状のおもり本体と、おもり本体の頂部に設けられた道糸連結部で、釣り竿に装着するリールに巻回された道糸の一方の端部であり、リールに固定された他方の端部とは反対側の端部が連結される道糸連結部と、おもり本体の下部に固設された、略「し」の字形状を呈する餌付け針で、その軸部の上端側（「し」の字の書き出し側）であるチモト（鉤元）部がおもり本体内に埋設され、軸部が下方に伸び、軸部の下端側には湾曲部を介して針先部が形成され、針先部の尖端が上方に向けられた状態の餌付け針と、おもり本体の底部に形成されたハリス（鉤素）連結部で、掛け針のチモト部に連結されたハリスの一方の端部であり、掛け針のチモト部に連結された他方の端部とは反対側の端部が連結されるハリス連結部と、を有している。
【０００４】
また、特許文献１の請求項１には、アタリ（魚信：魚が餌に食い付くことによって、釣竿に伝わる引き込み、振動等による手応え）をより鋭敏に感じ取ることができるようにした釣り用仕掛けとして、道糸の先端に第１のより戻しを介して取り付けた第１の幹糸を、おもりに穿設した第１の貫通孔に挿通し、前記第１の幹糸に第１の環状部材を緩装し、続いて第２のより戻しを取り付け、この第２のより戻しを介してハリスとカットウ針とを結びつけて連結部となし、少なくとも１以上複数の連結部を有するカットウ針からなる第１の仕掛と、前記第１のより戻しを介して分岐した第２の幹糸を前記おもりに穿設した第２の貫通孔に挿通し、第２の幹糸に第２の環状部材を緩装し、続いて第３のより戻しを介して前記第２の幹糸に結び付ける連結部を有する餌付け針からなる第２の仕掛とから構成される釣り用仕掛（背景技術２）が開示されている。
【０００５】
また、下記特許文献２の請求項１には、上記背景技術２のものと同様の目的の釣り用仕掛けとして、貫通孔を有する錘と、釣り糸を結び付けた鈎針とから成り、鈎針が錘の下方側に位置した状態となるようにして釣り糸を錘の貫通孔内に挿通させることによって、錘に対して鈎針が上下方向に移動可能な状態として取り付けるとともに、錘に鈎針の基部を挟持させ得る保持部を形成し、該保持部によって鈎針を仮止め固定させ得るように構成した釣り用仕掛（背景技術３）が開示されている。
【先行技術文献】
【特許文献】
【０００６】
【特許文献１】特許第３８１０４１０号公報
【特許文献２】特開２００７−２５２２６３号公報
【発明の概要】
【発明が解決しようとする課題】
【０００７】
しかし、フグは主に海底近くに棲息し、海草類の群生域、岩場等の魚礁に群集する魚であり、そのためフグ釣りを行うには、海底近くの魚礁域で仕掛けを漂わせる必要があり、このことに起因する問題点が上記各背景技術の釣り用仕掛けには存在する。つまり、海底近くに仕掛けを配置するためには、リールから道糸を引き出し、仕掛けを海底へ沈降させ、着底時にその衝撃が釣り竿に伝わるので、これにより仕掛けが海底に到達したことを感知し、その位置からリールを数回転巻き上げ、海底から仕掛けを少しだけ引き上げることにより、底取り（海底近くに仕掛けを配置すること）を行なうのだが、底取りの際、根掛かり（釣り針や釣り糸が海底の海草類、岩等に引っ掛かること）が発生したり、釣り糸が仕掛けのおもりに絡まったり、釣り糸どうしが絡み合う等の問題が発生する。
【０００８】
例えば、上記背景技術１の釣り用仕掛けにあっては、餌付け針がおもり本体の下部に固定されていることから、餌付け針がおもり本体より先に着底し、そのため餌付け針による根掛かりが頻繁に発生し、また根掛かりした餌付け針がおもり本体に押されることにより、餌付け針が根掛かり対象物により深く食い込んで外れなくなることがあり、より深刻な問題に進展することもある。つまり、根掛かりした針が、掛け針だけであれば、掛け針とおもりとを連結しているハリスは道糸より細く切れ易いことから、掛け針が外れなくなっても、釣り竿を強く引けばハリスが切れ、掛け針と切れたハリスを海底に残して、おもりを回収することができるが、おもり本体に固設された餌付け針が外れない場合は、釣り竿を強く引いても、道糸を切るのは困難で、また、かろうじて道糸を引きちぎることができたとしても、仕掛け全体を捨てることとなり、損失が大きく、また仕掛け全体を新たに付け直す必要があるため、手間と時間が掛かって面倒であった。（因みに、仕掛け側近くで道糸を引きちぎれない場合は、竿側近くで道糸を切断する）
また、ハリスと掛け針とからなる部位は、仕掛けを海底へ沈降させる際、仕掛けが海底方向に移動することにより生じる海水の抵抗によって、おもりよりも沈降が遅れ、つまりおもりに引っ張られるような状態で、沈降していくため、掛け針は、餌付け針よりは、根掛かりする頻度が低いが、上記海水の抵抗や、潮流の影響を受けることで、激しく乱れ動いて、おもり本体、餌付け針、釣り餌等に絡まり、海底に到達した時点では、既に適正な状態（おもり本体のハリス連結部からハリスが垂れ下がって、掛け針が餌付け針よりも下方に配置されている状態）での使用ができなくなっている場合もある。
【０００９】
また、ハリス連結部が、餌付け針よりも上方の部位（おもり本体の下部）に設けられていることから、フグを誘い寄せるために、釣り竿を上下動させて、餌付け針の下方に配置されている掛け針をしゃくる際に、ハリスの中間部（ハリス連結部側の端部と掛け針側の端部との中間部）から掛け針までの部位と掛け針とは、餌付け針の下方と上方との間を行ったり来たりすることとなり、これにより、ハリスが何かに絡まったり、掛け針が何かに引っ掛かって、使用できなくなってしまうこともあり、つまりは、海中に投下した仕掛けを一旦引き上げ、修復をしなければならなくなり、手間が掛かって、釣果向上の妨げとなる。
【００１０】
また、上記背景技術２の釣り用仕掛けにあっては、餌付け針がおもりに固定されていないことから、背景技術１の場合のような深刻な問題とはならないとしても、根掛かりについて、何ら対策が施されてないので、根掛かり発生頻度は低くない。また、餌付け針と掛け針との両方が、それぞれ別個に釣り糸により吊り下げられていることにより、仕掛けが海底へ沈降する際、餌付け針とこれに連結されたハリス、カットウ針（掛け針）とこれに連結されたハリスが激しく乱れ動くことから、背景技術１の場合よりも、むしろ釣り糸の絡みによる不具合発生の可能性は高くなっている。
【００１１】
また、上記背景技術３の釣り用仕掛は、フグが餌を引っ張ることにより、鈎針（餌付け針）の錘への仮止め状態が外れるものであるが、底取りの際には、背景技術１の釣り用仕掛の場合と同様に、錘より先に鈎針が海底に着底するため、鈎針による根掛かりが発生し易い。また、根掛かりした鈎針が錘に押されて、鈎針が根掛かり対象物により深く食い込み外れなくなった場合は、釣り竿を強く引けば、鈎針に連結したハリスを容易に切ることができるが、ハリスを切ってしまえば、鈎針を失うだけでなく錘をも失う。つまり、この釣り用仕掛けは、鈎針に連結したハリスを錘が有する貫通孔に挿通し、このハリスにおける鈎針連結側とは反対側を猿環（サルカン）を介して道糸に連結する、という構成で、錘は鈎針のチモト部により支持されているため、ハリスを切って、鈎針を放棄すれば、支えを失った錘は落下する。また、掛け針を錘に連結しているハリスが絡み易いことについては、背景技術１のものと同様である。
【００１２】
以上のように、上記各背景技術の釣り用仕掛けには、根掛かりによる不具合や、ハリスが絡まったり、掛け針が引っ掛かることによる不具合が発生し、これら不具合が釣果に悪影響を及ぼす、という問題点がある。
【００１３】
そこで、本発明は、これら不具合を解消し、釣果の向上を図ることができる釣り用おもりを提供することを目的とする。
【課題を解決するための手段】
【００１４】
本発明は上記問題点を解決するために創作されたものであって、第１には、フグ釣り用の仕掛けを組み立てるために用いられる釣り用おもりであって、道糸を連結するための道糸連結部（２０）を上部に有するおもり体（１０、１００）と、おもり体の下部から垂下して設けられた餌付け針で、魚を誘い寄せる釣り餌を掛け付けるための餌付け針（３０）と、おもり体の下部から垂下して設けられた下方構成部（Ａ１、Ａ３）と、を有し、餌付け針は、直線形状を呈する軸部で、その上端部がおもり体の下部に固定されて、下方に伸びた軸部（３２）と、軸部の下端部から連設された湾曲部で、軸部の下端部から上方に向けて半円弧形状に湾曲して形成された湾曲部（３４）と、湾曲部における軸部側とは反対側の端部から連設された針先部（３６）と、針先部の側部に設けられたカエシ部（３８）とを有し、軸部と湾曲部と針先部とカエシ部とが同一平面方向である特定平面方向に沿って形成され（「同一平面方向に沿って形成され」としてもよい）、下方構成部は、おもり体の下部から下方に垂下した設けられた略直線状の棒状の第１構成部で、餌付け針の軸部の針先部側とは反対側に該軸部と略平行に設けられ、その下端が、餌付け針の下端よりも下側に位置する第１構成部（４０）と、第１構成部における上下方向の途中位置から形成された第２構成部で、第１構成部における上下方向の途中位置から餌付け針の下端よりも下側に向けて形成されたアーム状部（５２）と、アーム状部の先端に設けられるとともに、第１構成部の下端よりも上側に設けられた（「第１構成部の下端よりも上側で、餌付け針の下端よりも下側に設けられた」としてもよい）連結部で、ハリスを連結するための連結部（５４）とを有する第２構成部（５０）と、を有し、第１構成部と第２構成部におけるアーム状部と連結部とが、上記特定平面方向に沿って形成されていること特徴とする。
【００１５】
上記第１の構成の釣り用おもりにおいては、第１構成部の下端が餌付け針の下端よりも下側に位置しているので、底取りの際、第１構成部により、海底に対しおもり体を支持することができ、このことにより、餌付け針は着底せず、餌付け針による根掛かりの発生を防止することができる。また、例えば、海底が凹凸の激しい岩場である等の悪条件下では、底取りの際、第１構成部が岩の隙間等に入り込んで、第１構成部が着底できないこともあり得るが、第２構成部が第１構成部における上下方向の途中位置から形成され、アーム状部が餌付け針の下端よりも下側に向けて形成されているので、餌付け針の下方領域は、アーム状部によってガードされており、このことにより、海底の障害物は防護体に衝突し、餌付け針には接触しないので、悪条件下であっても、餌付け針による根掛かりの発生を防止することができる。また、第１構成部が、餌付け針の軸部の針先部側とは反対側に設けられ、アーム状部が餌付け針の下端よりも下側に向けて形成されているので、餌付け針の針先部側にはフグの餌への接近を妨げるものがなく、集魚性がよい。また、連結部が餌付け針よりも下方に位置することができるので、例えば、ハリスを使わず、適当な連結金具類だけでも、餌付け針の下方に掛け針を配置することができ、また、ハリスを使用する場合でも、従来のフグ釣り用仕掛けの場合に比べ、短いハリスでよいので、仕掛けの沈降中や、誘うためのしゃくり動作により、ハリス及び掛け針を上下動させた際、ハリスが非対象物に絡まったり、掛け針が非対象物に引っ掛かったりする可能性が低い。また、連結部が、第１構成部の下端よりも上側に設けられているので、例えば、第１構成部の下端部が着底している状態において掛け針が海底に接触しない長さのハリスを使用することにより、掛け針の根掛かりについても防止することができる。また、餌付け針の下方において、掛け針が餌付け針の間近に位置していることから、掛け針を引き上げる際、フグに動きを察知されても逃げられずに、掛け針をフグに引っ掛けることができる可能性が高い。よって、以上のことから、根掛かりによる不具合や、ハリスが絡まったり、掛け針が引っ掛かったりすることによる不具合を解消し、釣果の向上を図ることができる。
【００１６】
なお、上記第１の構成において、第１構成部のおもり体への取付け位置が、上記同一平面方向とおもり体の下部表面とが交わる線上に位置するものとしてもよい。
【００１７】
また、第２には、上記第１の構成において、該第１構成部が、１本の線条材である第１線条材により形成され、該第２構成部が、第１構成部を構成する線条材とは別の１本の線条材である第２線条材により形成され、第２線条材の第１構成部側の端部である基部（５２ａ）が第１線条材に沿った状態で固定され（「第１線条材に沿って第１線条材と束ねた状態で固定され」としてもよい）、第２線条材における該基部の下端から連設された領域であるアーム状部本体（５２ｂ）が先端側にいくほど第１構成部から離れるように形成され、該基部と該アーム状部本体により該アーム状部が構成され、第２線条材の先端領域で、第２線条材のアーム状部本体における基部とは反対側の端部から連設された先端領域を巻回することにより上記連結部が構成され、第２構成部におけるアーム状部及び連結部が、上記特定平面方向に沿って形成され、連結部が、餌付け針の下方位置に設けられていることを特徴とする。
【００１８】
第２の構成の釣り用おもりにおいては、第１構成部が、１本の線条材から形成され、また、第２構成部が、１本の線条材から一体的に形成され、線条材は、安価で、加工が容易な資材であるので、線条材を利用することにより、製造コスト低く抑えつつ、上記第１の構成の釣り用おもりを具現化することができる。
【００１９】
なお、上記第１又は第２の構成において、アーム状部の連結部側の端部が、斜め下方を向くことを特徴とするものとしてもよい。
【００２０】
また、第３には、フグ釣り用の仕掛けを組み立てるために用いられる釣り用おもりであって、道糸を連結するための道糸連結部（２０）を上部に有するおもり体（１０、１００）と、おもり体の下部から垂下して設けられた餌付け針で、魚を誘い寄せる釣り餌を掛け付けるための餌付け針（３０）と、おもり体の下部から垂下して設けられた下方構成部（Ａ２、Ａ４）と、を有し、餌付け針は、直線形状を呈する軸部で、その上端部がおもり体の下部に固定されて、下方に伸びた軸部（３２）と、軸部の下端部から連設された湾曲部で、軸部の下端部から上方に向けて半円弧形状に湾曲して形成された湾曲部（３４）と、湾曲部における軸部側とは反対側の端部から連設された針先部（３６）と、針先部の側部に設けられたカエシ部（３８）とを有し、軸部と湾曲部と針先部とカエシ部とが同一平面方向である特定平面方向に沿って形成され、下方構成部は、おもり体の下部から下方に垂下した設けられた略直線状の棒状の第１構成部で、上記特定平面方向に沿って形成され、餌付け針の軸部の針先部側とは反対側に該軸部と略平行に設けられ、その下端が、餌付け針の下端よりも下側に位置する第１構成部（７００）と、第１構成部における上下方向の途中位置から形成された第２構成部で、第１構成部における上下方向の途中位置から餌付け針の下端よりも下側に向けて形成され、上面視において、上記特定平面方向に対して鋭角をなすとともに、餌付け針における針先部側を正面側とした場合に、該特定平面方向に対して右側面側に向けて形成された第１アーム状部（８４１）と、第１アーム状部の先端に設けられるとともに、第１構成部の下端よりも上側に設けられた（「第１構成部の下端よりも上側で、餌付け針の下端よりも下側に設けられた」としてもよい）第１連結部で、ハリスを連結するための第１連結部（８５１）とを有する第２右側構成部（８０１）と、第１構成部における上下方向の途中位置から餌付け針の下端よりも下側に向けて形成され、上面視において、上記特定平面方向に対して鋭角をなすとともに、餌付け針における針先部側を正面側とした場合に、該特定平面方向に対して左側面側に向けて形成された第２アーム状部（８４２）と、第２アーム状部の先端に設けられるとともに、第１構成部の下端よりも上側に設けられた（「第１構成部の下端よりも上側で、餌付け針の下端よりも下側に設けられた」としてもよい）第２連結部で、ハリスを連結するための第２連結部（８５２）とを有する第２左側構成部（８０２）と、を有する第２構成部（８００）と、を有していることを特徴とする。
【００２１】
上記第３の構成の釣り用おもりにおいては、第１構成部の下端が餌付け針の下端よりも下側に位置しているので、底取りの際、第１構成部により、海底に対しおもり体を支持することができ、このことにより、餌付け針は着底せず、餌付け針による根掛かりの発生を防止することができる。また、餌付け針の真下の右側に設けられた第１アーム状部と、餌付け針の真下の左側に設けられた第２アーム状部とにより、餌付け針の真下の周辺が広くガードされているので、餌付け針による根掛かりの発生を防止することができる。また、第１構成部が、餌付け針の軸部の針先部側とは反対側に設けられ、第１アーム状部及び第２アーム状部が餌付け針の下端よりも下側に向けて形成されているので、餌付け針の針先部側にはフグの餌への接近を妨げるものがなく、集魚性がよい。また、第１連結部及び第２連結部が、餌付け針よりも下方に位置することができるので、例えば、ハリスを使わなくても、連結金具類だけで餌付け針の下方に掛け針を配置することができ、また、ハリスを使用する場合でも、ハリス連結金具が餌付け針よりも上方に設けられている従来の一般的なフグ釣り用仕掛けの場合よりも短いハリスでよいので、仕掛けの沈降中や、フグを誘うためのしゃくり動作により、ハリス及び掛け針を上下動させた際、ハリスが非対象物に絡まったり、掛け針が非対象物に引っ掛かったりする可能性が低い。また、第１連結部及び第２連結部が、第１構成部の下端部よりも上方に設けられているので、例えば、第１構成部の下端部が着底している状態において掛け針が海底に接触しない長さのハリスを使用することにより、掛け針の根掛かりについても防止することができる。また、餌付け針の下方において、掛け針が餌付け針の間近に位置していることから、掛け針を引き上げる際、フグに動きを察知されても逃げられずに、掛け針をフグに引っ掛けることができる可能性が高い。また、第１連結部と第２連結部を有することにより、掛け針の数を増やし、掛け針がフグに掛かる確率を上げることができる。よって、以上のことから、根掛かりによる不具合や、ハリスが絡まったり、掛け針が引っ掛かったりすることによる不具合を解消し、釣果の向上を図ることができる。
【００２２】
なお、上記第３の構成において、そのおもり体への取付け位置が、上記同一平面方向とおもり体の下部表面とが交わる線上に位置するものとしてもよい。
【００２３】
また、第４には、上記第３の構成において、該第１構成部が、１本の線条材である第１線条材により形成され、該第２構成部が、第１構成部を構成する線条材とは別の１本の線条材である第２線条材により形成され、第２線条材の折返し位置から下方に伸びた一方の領域である第１基部（８４１ａ）と他方の領域である第２基部（８４２ａ）とが第１線条材に沿った状態で固定され（「第１線条材に沿って第１線条材と束ねた状態で固定され」としてもよい）、第１基部と第２基部の少なくともいずれか一方が第１線条材と束ねた状態で固定され、第２線条材における該第１基部の下端から連設された領域である第１アーム状部本体（８４１ｂ）が先端側にいくほど第１構成部から離れるように形成され、該第１基部と該第１アーム状部本体により該第１アーム状部が構成され、第２線条材の先端領域で、第２線条材における第１アーム状部本体における第１基部とは反対側の端部から連設された先端領域を巻回することにより上記第１連結部が構成され、第２線条材における該第２基部の下端から連設された領域である第２アーム状部本体（８４２ｂ）が先端側にいくほど第１構成部から離れるように形成され、該第２基部と該第２アーム状部本体により該第２アーム状部が構成され、第２線条材の先端領域で、第２線条材における第２アーム状部本体における第２基部とは反対側の端部から連設された先端領域を巻回することにより上記第２連結部が構成され、第２構成部における第２右側構成部と第２左側構成部とが、上記特定平面方向を介して略対称位置に設けられていることを特徴とする。
【００２４】
第４の構成の釣り用おもりにおいては、第１構成部が、１本の線条材から形成され、また、第２構成部が１本の線条材から形成され、線条材は、安価で、加工が容易な資材であるので、線条材を利用することにより、製造コスト低く抑えつつ、上記第３の構成の釣り用おもりを具現化することができる。
【００２５】
また、第５には、フグ釣り用の仕掛けを組み立てるために用いられる釣り用おもりであって、道糸を連結するための道糸連結部（２０）を上部に有するおもり体（１００）と、おもり体の下部から垂下して設けられた餌付け針で、魚を誘い寄せる釣り餌を掛け付けるための餌付け針（３０）と、おもり体の下部から垂下して設けられた下方構成部（Ａ１）と、を有し、餌付け針は、直線形状を呈する軸部で、その上端部がおもり体の下部に固定されて、下方に伸びた軸部（３２）と、軸部の下端部から連設された湾曲部で、軸部の下端部から上方に向けて半円弧形状に湾曲して形成された湾曲部（３４）と、湾曲部における軸部側とは反対側の端部から連設された針先部（３６）と、針先部の側部に設けられたカエシ部（３８）とを有し、軸部と湾曲部と針先部とカエシ部とが同一平面方向である特定平面方向に沿って形成され、下方構成部は、おもり体の下部から下方に垂下した設けられた略直線状の棒状の垂下体で、餌付け針の軸部の針先部側とは反対側に該軸部と略平行に設けられた垂下体（９１０）と、垂下体における下端から餌付け針の下端よりも下側に向けて形成されたアーム状部（５２）と、アーム状部の先端に設けられた（「アーム状部の先端に設けられるとともに、餌付け針の下端よりも下側に設けられた」としてもよい）連結部で、ハリスを連結するための連結部（５４）と、該垂下体とアーム状部と連結部とが、上記特定平面方向に沿って形成されていることを特徴とする。
【００２６】
第５の構成の釣り用おもりにおいては、おもり体の下部から垂下された垂下体が、餌付け針の軸部に沿って下方に伸び、この垂下体の下端部から連設されたアーム状部が餌付け針の下端よりも下側に向けて形成されているので、仕掛けを海中に投下した後の底取りの際、おもり体は、下方構成部により海底に対し支持され、餌付け針は、その下方がアーム状部によって、ガードされることから、餌付け針は着底せず、餌付け針による根掛かりの発生を防止することができる。また、垂下体が、餌付け針の軸部の針先部側とは反対側に設けられ、アーム状部が餌付け針の下端よりも下側に向けて形成されているので、軸部の腹側である針先部側にはフグの餌への接近を妨げるものがなく、集魚性がよい。また、連結部が餌付け針よりも下方に位置することになるので、例えば、ハリスを使わなくても、連結金具類だけで餌付け針の下方に掛け針を配置することができ、また、ハリスを使用する場合でも、ハリス連結金具が餌付け針よりも上方に設けられている従来の一般的なフグ釣り用仕掛けの場合よりも短いハリスでよいので、仕掛けの沈降中や、フグを誘うためのしゃくり動作により、ハリス及び掛け針を上下動させた際、ハリスが非対象物に絡まったり、掛け針が非対象物に引っ掛かったりする可能性が低い。また、餌付け針の下方において、掛け針が餌付け針の間近に位置していることから、掛け針を引き上げる際、フグに動きを察知されても逃げられずに、掛け針をフグに引っ掛けることができる可能性が高い。よって、以上のことから、根掛かりによる不具合や、ハリスが何かに絡まったり、掛け針が何かに引っ掛かったりすることによる不具合を解消し、釣果の向上を図ることができる。
【００２７】
なお、上記第５の構成において、垂下体のおもり体への取付け位置が、上記同一平面方向とおもり体の下部表面とが交わる線上に位置するものとしてもよい。
【００２８】
また、第６には、上記第５の構成において、該下方構成部が、１本の線条材により形成され、アーム状部が、連結部側にいくほど垂下体の仮想延長線から離れるように形成され、線条材の先端領域で、アーム状部における垂下体とは反対側の端部から連設された先端領域を巻回することにより上記連結部が構成されることを特徴とする。
【００２９】
第６の構成の釣り用おもりにおいては、下方構成部が１本の線条材から形成され、線条材は、安価で、加工が容易な資材であるので、線条材を利用することにより、製造コスト低く抑えつつ、上記第１の構成の釣り用おもりを具現化することができる。
【００３０】
また、第７には、上記第６の構成において、おもり体が、回転体形状を呈する本体部（１１０）と、本体部の側面から突出して形成され、平板形状を呈する潮切り板部（１２０）とを有し、本体部の上下方向の中心軸と潮切り板部とは、上記特定平面方向に沿って形成され、本体部の上下方向の中心軸は、餌付け針の軸部と略平行に設けられ、餌付け針における針先部側を正面側とした場合に、潮切り板部は、本体部の正面側の側面からに突出して形成されていることを特徴とする。
【００３１】
上記第７の構成の釣り用おもりにおいては、潮切り板部により、潮流中で本体部を潮流の上流側とし、潮切り板部を下流側とした状態で態勢が安定するので、ハリス及び掛け針が潮流方向に沿ってたなびくこととなるから、潮流の下流側から近付くフグの間近下方に掛け針を漂わせることができ、その状態から釣り竿をしゃくり上げることにより、掛け針がフグに掛かる可能性が高い。また、潮切り板部と、軸部の腹を潮切り板部側に向けた状態の餌付け針と、第１構成部（下方構成部）とが、同一平面方向に沿って形成されているので、ハリス及び掛け針に接触する潮流が乱れることがなく、ハリス及び掛け針が潮流方向に沿って円滑にたなびかせることができる。
【００３２】
なお、上記各構成において、おもり体にハリスを連結するためのハリス連結補助具（６０、１４０）が設けられていることを特徴とするものとしてもよい。
【発明の効果】
【００３３】
本発明に基づく釣り用おもりによれば、第１構成部（下方構成部）により、海底に対しておもり体を支持することができ、このことにより、底取りの際に餌付け針が海底に接触しないようにして、餌付け針による根掛かりの発生を防止することができ、また、アーム状部により、餌付け針の下方がガードされているので、より確実に餌付け針による根掛かりの発生を防止し、根掛かりによる不具合の発生を防止することができる。また、ハリスを介して掛け針を連結するための連結部が、餌付け針よりも下方に位置することになるので、従来の一般的なフグ釣り用おもりを使用する場合に比べて、ハリスの長さを短くすることができ、このことにより、ハリスが絡まったり、掛け針が引っ掛かったりすることによる不具合の発生を防止することができる。また、第１構成部が、餌付け針の軸部の針先部側とは反対側に設けられ、アーム状部が餌付け針の下端よりも下側に向けて形成されているので、軸部の腹側である針先部側にはフグの餌への接近を妨げるものがなく、集魚性がよい。また、餌付け針の下方において、掛け針が餌付け針の間近に位置していることから、掛け針を引き上げる際、フグに動きを察知されても逃げられずに、掛け針をフグに引っ掛けることができる可能性が高い。よって、上記各実施例の釣り用おもりによれば、フグ釣りにおける効率を向上させ、釣果の向上を図ることができる。
【図面の簡単な説明】
【００３４】
【図１】実施例１の釣り用おもりの下方斜視図である。
【図２】実施例１の釣り用おもりの左側面図である。
【図３】実施例１の釣り用おもりの正面図である。
【図４】実施例１の釣り用おもりの使用状態図である。
【図５】実施例２の釣り用おもりの下方斜視図である。
【図６】実施例２の釣り用おもりの左側面図である。
【図７】実施例２の釣り用おもりの正面図である。
【図８】実施例２の釣り用おもりの底面図である。
【図９】実施例２の釣り用おもりの使用状態図である。
【図１０】実施例３の釣り用おもりの下方斜視図である。
【図１１】実施例３の釣り用おもりの左側面図である。
【図１２】実施例３の釣り用おもりの右側面図である。
【図１３】実施例３の釣り用おもりの使用状態図である。
【図１４】実施例４の釣り用おもりの下方斜視図である。
【図１５】実施例４の釣り用おもりの左側面図である。
【図１６】実施例４の釣り用おもりの正面図である。
【図１７】実施例４の釣り用おもりの底面図である。
【図１８】実施例４の釣り用おもりの使用状態図である。
【図１９】実施例５の釣り用おもりの下方斜視図である。
【図２０】実施例５の釣り用おもりの左側面図である。
【図２１】実施例５の釣り用おもりの右側面図である。
【図２２】実施例５の釣り用おもりの使用状態図である。
【発明を実施するための形態】
【００３５】
本発明においては、根掛かりによる不具合や、ハリスが絡まったり、掛け針が引っ掛かったりすることによる不具合を解消し、釣果の向上を図ることができる釣り用おもりを提供するという目的を以下のようにして実現した。
【実施例１】
【００３６】
実施例１の釣り用おもり５−１は、図１〜図４に示すように構成され、おもり体１０と、道糸連結部２０と、餌付け針３０と、垂下体４０と、アーム状ユニット５０と、固定具５６と、ハリス連結補助部６０と、を有している。垂下体４０とアーム状ユニット５０と固定具５６とで下方構成部Ａ１が構成される。道糸連結部２０と、餌付け針３０と、垂下体４０と、ハリス連結補助部６０とは、おもり体１０に取り付けられている。
【００３７】
おもり体１０は、鉛（鉛合金、タングステン合金でもよい）により鋳造され、球形状を呈している。なお、おもり体１０は、その表面にウレタン樹脂等の合成樹脂を主成分とする塗料により表面コーティングを施したものとしてもよく、また、塗料は、集魚性を高めるために、適宜着色したものとしてもよい。
【００３８】
次に、道糸連結部２０について説明する（図２、図３を参照）。道糸連結部２０は、おもり体１０の頂部に設けられた、ステンレススチール製（真鍮製でもよい）の金具であり、頂部表面から突出して、逆「Ｕ」の字形状を呈している。具体的には、おもり体１０を鋳造成形する際、所定形状に調製された鋳型の所定位置に「Ｕ」の字形状の金具（道糸連結部２０）を設置し、そこへ融解した鉛等を流し込んで、おもり体１０の中に前記金具の一部のみを埋設することにより、道糸連結部２０がおもり体１０における所定部位に固定されている。この道糸連結部２０に道糸Ｌが結び付けられる（図４を参照）。道糸Ｌとは、釣り竿に装着するリールに巻回された釣り糸のことで、この道糸Ｌにおけるリール側とは反対側の端部を道糸連結部２０に連結することにより、おもり体１０が釣り竿から吊り下げられる。
【００３９】
なお、おもり体１０を鋳造する際には、餌付け針３０、垂下体４０、ハリス連結補助部６０についても、道糸連結部２０の場合と同様に、鋳型における各所定部位にそれぞれが設置される。これらの詳細については、後説する。
【００４０】
また、本実施例では、道糸連結部２０に道糸Ｌを直接結び付けているが、道糸連結部２０と道糸Ｌとの間にスナップサルカン等の連結金具を介在させてもよい。つまり、道糸連結部２０にスナップサルカンのスナップ部（バネ付勢により開閉可能とされているフック部）を連結し、スナップサルカンのスナップ部側とは反対側の端部（サルカン部、より戻しともいう）に道糸Ｌを結び付ける。これにより、おもり体１０を吊り下げた際に、道糸Ｌがよじれることを防止し、また、例えば釣り場の状況（潮流の速さ、波の高さ等）変化に応じて、重量の異なるおもりに頻繁に変更する際、おもり体１０の付け替えが容易となる。
【００４１】
次に、餌付け針３０について説明する。餌付け針３０は、フグを誘い寄せる釣り餌を掛け付けるためのもので、鋼鉄（ステンレススチールでもよい）により形成され、一般的な釣り針と同様の構成を有している。
【００４２】
つまり、餌付け針３０は、全体外形が略「し」の字形状を呈し、直線形状を呈する軸部３２と、軸部３２の下端部から連設された湾曲部３４で、軸部３２の下端部から上方に向けて略半円弧状に湾曲して形成された湾曲部３４と、湾曲部３４における軸部３２側とは反対側の端部から連設された針先部３６で、その尖端部が上向きの針先部３６と、針先部３６の側部で軸部３２に対向する側の側部から連設されたカエシ部３８と、を有し、軸部３２と、湾曲部３４と、針先部３６と、カエシ部３８と、の各部が同一平面方向（この方向が特定平面方向となる）に沿って形成されている（「同一平面方向に形成されている」としてもよい。他においても同じ）。なお、軸部３２の側面部で針先部３６に対向する側の半面は、腹３２ａと呼ばれ、その反対側の半面は、背３２ｂと呼ばれる。
【００４３】
この餌付け針３０は、道糸連結部２０の場合と同様に、おもり体１０を鋳造する際、おもり体１０の中に餌付け針３０の一部のみを埋設することにより、おもり体１０における所定部位に固定されている。つまり、餌付け針３０は、おもり体１０の最下端部（つまり、道糸連結部２０が形成された頂部を通る球の中心線と、おもり体１０の下部側表面との交点）に軸部３２の上端部が埋設され、当該部位から軸部３２が垂下された状態で固定されている。
【００４４】
次に、垂下体（第１構成部）４０は、おもり体１０の下部から垂下して形成されている。垂下体４０は、ステンレススチール製（真鍮製でもよい）の１本の線条材（第１線条材）から形成され、直線形状を呈し、道糸連結部２０の場合と同様に、おもり体１０を鋳造する際、おもり体１０の中に垂下体４０の一部のみを埋設することにより、おもり体１０における所定部位に固定されている。
【００４５】
つまり、垂下体４０は、その上端部が、餌付け針３０の平面方向（つまり、特定平面方向）と、おもり体１０の下部側表面とが交わる線上に位置する所定部位で、餌付け針３０の軸部３２の背３２ｂの後方（針先部３６側の反対側）に位置する所定部位に固定され、当該部位から、餌付け針３０の軸部３２に沿って下方に伸び、垂下体４０の下端部は、餌付け針３０よりも下方の位置で、餌付け針３０からやや離れた位置にまで到達している。
【００４６】
アーム状ユニット（第２構成部）５０は、アーム状部５２と、アーム状部５２の先端に設けられたハリス連結部５４とを有している。
【００４７】
アーム状部５２は、直線形状を呈する基部５２ａと、基部５２ａの一方の端部から連設され、曲線形状（直線形状でもいい）を呈するアーム状部本体５２ｂと、を有しており、基部５２ａと、アーム状部本体５２ｂと、ハリス連結部５４とは、ステンレススチール製（真鍮製でもよい）の１本の線条材（垂下体４０を形成した第１線条材とは別の線条材である第２線条材）から一体的に形成されている。
【００４８】
また、ハリス連結部（連結部）５４は、アーム状部５２から伸びた線条材の先端領域を上向きに巻回することにより環形状に形成されている。
【００４９】
具体的には、アーム状ユニット５０を構成する線条材は、その一方の端部から、一方の端部と他方の端部との間に位置する第１箇所Ｐ１までの領域（直線状の領域）を基部５２ａの領域とし、第１箇所Ｐ１からハリス連結部５４側の端部である第２箇所Ｐ２までの領域（曲線状に湾曲した領域）をアーム状部本体５２ｂの領域とし、第２箇所Ｐ２から他方の端部までの領域をハリス連結部５４の領域としており、アーム状部５２は、アーム状部本体５２ｂの領域を基部５２ａの領域に対し、所定向き（具体的には、横向き）に屈曲することにより、基部５２ａとアーム状部本体５２ｂとが角度をなした状態に形成され、ハリス連結部５４は、ハリス連結部５４の領域を上記所定向きと同一向きに巻回することにより環形状に形成されている。アーム状部本体５２ｂは先端側にいくほど垂下体４０から離れるように形成されている。また、基部５２ａと、アーム状部本体５２ｂと、ハリス連結部５４の各部が同一平面方向に沿って形成されている。すなわち、図３に示すように、餌付け針３０（すなわち、軸部３２と、湾曲部３４と、針先部３６と、カエシ部３８）と、下方構成部Ａ１（すなわち、垂下体４０と、基部５２ａと、アーム状部本体５２ｂと、ハリス連結部５４と、固定具５６）とが、平面Ｍに沿って（つまり、同一平面方向（同一の平面方向としてもよい）に沿って）形成されている。この平面Ｍの方向が特定平面方向となる。
【００５０】
そして、垂下体４０の上下方向の中間部位において、垂下体４０とアーム状部５２の基部５２ａとが平行に束ねられた状態で、固定具５６により固定され（つまり、基部５２ａが垂下体４０（具体的には、垂下体４０の正面側（餌付け針３０における針先部３６側を正面側とし、軸部３２側を背面側とした場合の正面側））に沿った状態で固定されている）、アーム状部５２のアーム状部本体５２ｂが、餌付け針３０側へ屈曲した状態とされているとともに、餌付け針３０の下方であり、かつ、垂下体４０の下端部よりも上方となる位置において、上記特定平面方向（餌付け針３０が形成された平面方向）に沿って伸びており、アーム状部本体５２ｂから連設されているハリス連結部５４は、餌付け針３０の下端より下側（上下方向における下側）（具体的には、餌付け針３０の真下又はその近傍）で、かつ、垂下体４０の下端部よりも上側（上下方向における上側）に位置している。
【００５１】
固定具５６は、真鍮製（ステンレススチール製でもよい）の筒体で、この固定具５６により、垂下体４０と、アーム状部５２の基部５２ａとをかしめている。つまり、固定具５６に垂下体４０と、基部５２ａと、を挿通し、固定具５６を押し潰して、垂下体４０と、基部５２ａとに圧着することにより、垂下体４０と基部５２ａとが結束されるとともに、垂下体４０に基部５２ａが固定されている。なお、垂下体４０と基部５２ａとの固定については、溶接（ろう付け、ハンダ付け）、接着剤等によってもよい。また、ステンレススチール糸を巻回することにより、垂下体４０と基部５２ａを結束し固定してもよい。
【００５２】
次に、ハリス連結補助部６０について説明する。ハリス連結補助部６０は、おもり体１０の下部に設けられた、ステンレススチール製（真鍮製でもよい）の金具であり、おもり体１０の下部側表面から突出して、「Ｕ」の字形状を呈している。このハリス連結補助部６０は、道糸連結部２０の場合と同様に、おもり体１０を鋳造する際、おもり体１０の中にハリス連結補助部６０の一部のみを埋設することにより、おもり体１０における所定部位に固定されたものである。つまり、ハリス連結補助部６０は、餌付け針３０の軸部３２の右側方及び左側方のそれぞれに形成され、球体であるおもり体１０の経線（回転体である球体の母線でもある）であって、餌付け針３０の平面方向と、直交する経線方向に沿って配列されている。このハリス連結補助部６０は、ハリスＨを介して掛け針Ｎを連結するためのものであるが、補助的なものであり、常時使用されるものではない。その使用方法については後説する。
【００５３】
次に、釣り用仕掛けを組み立てるために、釣り用おもり５−１に連結する掛け針について説明する。掛け針は、餌付け針３０の釣り餌により誘い寄せたフグに引っ掛けて、フグを釣り上げるためのものであり、一般的な掛け針と同様の構成を有する。つまり、図４に示すように、掛け針Ｎは、直線形状の軸体（図４中では後説の結束糸Ｎ３により隠れている）と、軸体の上端部に形成された環状部Ｎ１と、複数の針体Ｎ２と、結束糸Ｎ３と、を有している。
【００５４】
針体Ｎ２は、鋼鉄（ステンレススチールでもよい）により形成され、全体が略「し」の字形状を呈し、直線形状を呈する軸部（図４中では後説の結束体により隠れている）と、軸部の下端部から連設された湾曲部で、軸部の下端部から上方に向けて略半円弧状に湾曲して形成された湾曲部と、湾曲部における軸部側とは反対側の端部から連設された針先部で、その尖端部が上向きの針先部と、を有し、軸部と、湾曲部と、針先部と、の各部が同一平面方向（つまり、特定平面方向）に沿って形成されている。
【００５５】
そして、複数の針体Ｎ２が軸体の周方向に沿って配列されるとともに、針体Ｎ２の針先部を外側に向けた状態で、針体Ｎ２の軸部が軸体に対し平行に配置され、軸体と、針体Ｎ２の軸部とが束ね合わせられ、これにステンレススチール製の結束糸Ｎ３を巻回することにより、軸体と、針体Ｎ２の軸部とが固定され、各針体Ｎ２が、平面視において、軸体から放射状に突出するように配置されている。また、環状部Ｎ１には、ハリスＨの一方の端部が連結され、ハリスＨの他方の端部は、スナップＳ（フック部を有する連結用金具）に連結されている。
【００５６】
実施例１の釣り用おもり５−１は、以上のように構成され、これを使用する際には、図４に示すように、まず、道糸連結部２０に道糸Ｌを連結し、ハリス連結部５４に、スナップＳを連結し、スナップＳに連結したハリスＨを介して、掛け針Ｎを連結することにより、釣り用仕掛けを組み立てる。なお、スナップＳについては、省略してもよく、その場合は、ハリス連結部５４にハリスＨを直接結び付ける。
【００５７】
次に、餌付け針３０にバカ貝（通称、アオヤギ）等の釣り餌を掛け付け、当該仕掛けを海中に投下し、海底に仕掛けが到達した後、リールを数回転巻き上げ、海底から仕掛けを少しだけ引き上げ、底取りを行う。次に、釣り竿を上下動させたり、暫く静止させたり、これを繰り返して、海底近くにある仕掛けを時々しゃくり、対象魚のフグを誘い寄せる。フグが餌付け針３０の餌を啄み、アタリを感知したら、釣り竿を立てつつ素早く短く引き上げ、フグに掛け針Ｎを引っ掛けて、リールを巻き上げ、フグを釣り上げる。
【００５８】
なお、潮流が遅く、波の低い穏やかな状態であれば、ハリスの絡まりによる不具合が発生する危険性は低くなるので、おもり体１０の下部に設けたハリス連結補助部６０にもハリスＨを介して掛け針Ｎを連結してもよく、掛け針Ｎの数を増やすことで、掛け針Ｎがフグに掛かる確率を上げ、釣果の向上を図ることができる。
【００５９】
この釣り用おもり５−１によれば、根掛かりによる不具合の発生を防止することができる。つまり、釣り用おもり５−１は、おもり体１０の下部から垂下して形成された垂下体４０が、餌付け針３０の軸部３２に沿って下方に伸び、垂下体４０の下端部が餌付け針３０よりも下方となる位置に到達しているので、仕掛けを海中に投下した後の底取りの際、垂下体４０により、海底に対しおもり体１０を支持することができ、このことにより、餌付け針３０は着底せず、餌付け針３０による根掛かりの発生を防止することができる。
【００６０】
また、例えば、海底が凹凸の激しい岩場である等の悪条件下では、底取りの際、垂下体４０が岩の隙間等に入り込んで、垂下体４０が着底できない場合もあり得るが、垂下体４０の上下方向の中間部位から連設されたアーム状部５２が、餌付け針３０の下方であり、かつ、垂下体４０の下端部よりも上方となる位置において、餌付け針３０が形成された平面方向に沿って設けられているので、餌付け針３０の真下は、アーム状部５２によってガードされており、このことにより、海底の障害物はアーム状部５２に衝突し、餌付け針３０には接触しないので、悪条件下であっても、餌付け針３０による根掛かりの発生を防止することができる。
【００６１】
また、垂下体４０が、餌付け針３０の軸部３２の背３２ｂの後方に設けられているので、軸部３２の腹３２ａ側である針先部３６側にはフグの餌への接近を妨げるものがなく、集魚性がよい。
【００６２】
また、釣り用おもり５−１によれば、短いハリスＨを使用することにより、ハリスＨが絡まったり、掛け針Ｎが引っ掛かったりする不具合の発生を防止することができる。つまり、従来の一般的なフグ釣り用おもりを用いた仕掛けでは、おもり本体に設けられたハリス連結用の金具にハリスを介して掛け針を連結しており、ハリスの連結金具が餌付け針よりも上方に位置していることから、掛け針を餌付け針の下方に配置するためには、餌付け針上方のハリス連結金具から餌付け針の下方にまで届く長さのハリスが必要であり、そのため、仕掛けを海底に沈降させる際、潮流等の影響を受けて、ハリスや掛け針が、乱れ動くことにより、道糸、おもり本体、餌、餌付け針等に絡まる可能性が有るが、これに対し、釣り用おもり５−１は、ハリス連結部５４が、餌付け針３０よりも下方に位置しているので、例えば、ハリスＨを使わず、適当な連結金具類だけでも、餌付け針３０の下方に掛け針Ｎを配置することができ、また、ハリスＨを使用する場合でも、従来のフグ釣り用仕掛けの場合に比べ、短いハリスＨでよいので、仕掛けの沈降中や、誘うためのしゃくり動作により、ハリスＨ及び掛け針Ｎを上下動させた際、ハリスＨが非対象物に絡まったり、掛け針Ｎが非対象物に引っ掛かったりする可能性が低い。
【００６３】
また、ハリス連結部５４が、垂下体４０の下端部よりも上方に設けられているので、例えば、垂下体４０の下端部が着底している状態において掛け針Ｎが海底に接触しない長さのハリスＨ（図４に示したものより短くしたもの）を使用することにより、掛け針Ｎの根掛かりについても防止することができる。
【００６４】
また、餌付け針３０の下方において、掛け針Ｎが餌付け針３０の間近に位置していることから、掛け針Ｎを引き上げる際、フグに動きを察知されても逃げられずに、掛け針Ｎをフグに引っ掛けることができる可能性が高い。
【００６５】
さらには、垂下体４０が、１本の線条材から形成され、また、アーム状ユニット５０が、１本の線条材から一体的に形成されていて、線条材は、安価で、加工が容易な資材であるので、線条材を利用することにより、製造コストを低く抑えることができる。
【実施例２】
【００６６】
次に、実施例２の釣り用おもりについて説明する。実施例２の釣り用おもり５−２は、図５〜図９に示すように構成され、おもり体１０と、道糸連結部２０と、餌付け針３０と、垂下体７００と、アーム状ユニット群８００と、固定具７６０と、ハリス連結補助部６０と、を有している。垂下体７００とアーム状ユニット群８００と固定具７６０とで下方構成部Ａ２が構成される。道糸連結部２０と、餌付け針３０と、垂下体７００と、ハリス連結補助補助部６０とは、おもり体１０に取り付けられている。
【００６７】
ここで、おもり体１０と、道糸連結部２０と、餌付け針３０と、ハリス連結補助部６０については、実施例１の釣り用おもり５−１が有する構成と共通の構成を有するものであるので、図５〜図９において、上記共通部分については、同一の符号を付して表し、共通部分の詳細な説明については、ここでは省略する。以下、垂下体７００と、アーム状ユニット群８００について説明する。
【００６８】
垂下体（第１構成部）７００は、おもり体１０の下部から垂下して形成されている。垂下体７００は、ステンレススチール製（真鍮製でもよい）の１本の線条材（第１線条材）から形成され、直線形状を呈し、上記実施例の場合と同様に、おもり体１０を鋳造する際、おもり体１０の中に垂下体７００の一部のみを埋設することにより、おもり体１０における所定部位に固定されている。
【００６９】
つまり、垂下体７００は、その上端部が、餌付け針３０の平面方向（つまり、特定平面方向）と、おもり体１０の下部側表面とが交わる線上に位置する所定部位で、餌付け針３０の軸部３２の背３２ｂの後方（針先部３６側の反対側）に位置する所定部位に固定され、当該部位から、餌付け針３０の軸部３２に沿って下方に伸び、垂下体７００の下端部は、餌付け針３０よりも下方の位置で、餌付け針３０からやや離れた位置にまで到達している。つまり、図７に示すように、餌付け針３０（すなわち、軸部３２と、湾曲部３４と、針先部３６と、カエシ部３８）と、垂下体７００とが、平面Ｍに沿って（つまり、同一平面方向（同一の平面方て向としもよい）に沿って）形成されている。この平面Ｍの方向が特定平面方向となる。
【００７０】
アーム状ユニット群（第２構成部）８００は、アーム状ユニット８０１と、アーム状ユニット８０１と接続されたアーム状ユニット８０２と、折返し部８０３とを有している。アーム状ユニット８０１とアーム状ユニット８０２は、線条材を略半円状に湾曲してなる折返し部８０３を介して連設されている。
【００７１】
アーム状ユニット（第２右側構成部）８０１は、アーム状部（第１アーム状部）８４１と、アーム状部８４１の先端に設けられたハリス連結部（第１連結部）８５１とを有している。
【００７２】
ここで、アーム状部８４１は、直線形状を呈する基部（第１基部）８４１ａと、基部８４１ａの一方の端部から連設され、曲線形状（直線形状でもよい）を呈するアーム状部本体（第１アーム状部本体）８４１ｂと、を有し、ハリス連結部８５１は、アーム状部本体８４１ｂにおける基部８４１ａ側とは反対側の端部から連設されている。また、ハリス連結部８５１は、アーム状部８４１から伸びた線条材の先端領域を上向きに巻回することにより環形状に形成されている。
【００７３】
アーム状ユニット（第２左側構成部）８０２は、アーム状部（第２アーム状部）８４２と、アーム状部８４２の先端に設けられたハリス連結部（第２連結部）８５２とを有している。
【００７４】
ここで、アーム状部８４２は、前記基部８４１ａの他方の端部から連設され、直線形状を呈する基部（第２基部）８４２ａと、基部８４２ａにおける基部８４１ａ側とは反対側の端部から連設され、曲線形状（直線形状でもよい）を呈するアーム状部本体（第２アーム状部本体）８４２ｂと、を有し、ハリス連結部８５２は、アーム状部本体８４２ｂにおける基部８４２ａ側とは反対側の端部から連設されている。また、ハリス連結部８５２は、アーム状部８４１から伸びた線条材の先端領域を上向きに巻回することにより環形状に形成されている。
【００７５】
具体的には、アーム状ユニット８０１とアーム状ユニット８０２とは、ステンレススチール製（真鍮製でもよい）の１本の線条材（垂下体７００を形成した線条材とは別の線条材）から一体的に形成されている。
【００７６】
つまり、該線条材は、その中央箇所（折返し箇所）Ｑ０から、中央箇所Ｑ０と一方の端部との間に位置する第１箇所Ｑ１（直線状の領域の下端位置）までの領域を基部８４１ａの領域とし、第１箇所Ｑ１からハリス連結部８５１側の端部である第２箇所Ｑ２までの領域（曲線状に湾曲した領域）をアーム状部本体８４１ｂの領域とし、第２箇所Ｑ２から一方の端部までの領域をハリス連結部８５１の領域とし、また、中央箇所Ｑ０から、中央箇所Ｑ０と他方の端部との間に位置する第３箇所Ｑ３（直線状の領域の下端位置）までの領域を基部８４２ａの領域とし、第３箇所Ｑ３からハリス連結部８５２側の端部である第４箇所Ｑ４までの領域（曲線状に湾曲した領域）をアーム状部本体８４２ｂの領域とし、第４箇所Ｑ４から他方の端部までの領域をハリス連結部８５２の領域としている。
【００７７】
また、アーム状部本体８４１ｂの領域を基部８４１ａの領域に対し所定向き（第１屈曲向き）に屈曲することにより、基部８４１ａとアーム状部本体８４１ｂとが角度をなした状態に形成され、ハリス連結部８５１は、ハリス連結部８５１の領域を上記第１屈曲向きと同一向きに巻回することにより環形状に形成され、また、アーム状部本体８４２ｂの領域を基部８４２ａの領域に対し所定向き（上記第１屈曲向きとは異なる向きの第２屈曲向き）に屈曲することにより、基部８４２ａとアーム状部本体８４２ｂとが角度をなした状態に形成され、ハリス連結部８５２は、ハリス連結部８５２の領域を上記第２屈曲向きと同一向きに巻回することにより環形状に形成され、基部８４１ａの領域に対し基部８４２ａの領域を約１８０度屈曲することにより、アーム状ユニット群８００の全体が、中央箇所Ｑ０を折り返し箇所とした二つ折り状態とされている。アーム状部本体８４１ｂとアーム状部本体８４２ｂは先端側にいくほど垂下体７００から離れるように形成されている。
【００７８】
アーム状部本体８４１ｂとアーム状部本体８４２ｂとは、上面視において、上記特定平面方向に対して鋭角をなし、上記特定平面方向を介して対称に形成されている。また、基部８４１ａと基部８４２ａとは互いに平行になっている。
【００７９】
そして、垂下体７００の上下方向の中間部位において、垂下体７００と、アーム状部８４１の基部８４１ａとが平行に束ねられた状態で、固定具７６０により固定され（つまり、基部８４１ａが垂下体７００に沿った状態で固定されている）、アーム状部８４１のアーム状部本体８４１ｂが、餌付け針３０側へ屈曲した状態とされているとともに、ハリス連結部８５１は、餌付け針３０の真下の右側（つまり、餌付け針３０における針先部３６側を正面側とし、軸部３２側を背面側とした場合の右側面側）で、かつ、垂下体７００の下端部よりも上側に位置し、また、アーム状部８４２のアーム状部本体８４２ｂが、餌付け針３０側へ屈曲した状態とされているとともに、ハリス連結部８５２は、餌付け針３０の真下の左側（つまり、餌付け針３０における針先部３６側を正面側とし、軸部３２側を背面側とした場合の左側面側）で、かつ、垂下体７００の下端部よりも上側に位置している。つまり、ハリス連結部８５１、８５２は、餌付け針３０の下端よりも下側（上下方向における下側）に設けられている。
【００８０】
固定具７６０は、上記実施例の場合と同様に、真鍮製（ステンレススチール製でもよい）の筒体であり、この固定具７６０により、垂下体７００と、アーム状ユニット８０１の基部８４１ａとをかしめている。つまり、固定具７６０に垂下体７００と基部８４１ａとを挿通し、固定具７６０を押し潰して、垂下体７００と基部８４１ａとに圧着することにより、垂下体７００と基部８４１ａとが結束されるとともに、垂下体７００に基部８４１ａが固定されている。なお、図５〜図９においては、アーム状ユニット群８００は、垂下体７００の餌付け針３０側（正面側）に配置して取り付けられているが、垂下体７００の餌付け針３０側と反対側（つまり、背面側）に配置して取り付けてもよい。また、垂下体７００と基部８４１ａとの固定については、溶接（ろう付け、ハンダ付け）、接着剤等によってもよい。また、ステンレススチール糸を巻回することにより、垂下体７００と基部８４１ａを結束し固定してもよい。なお、基部８４１ａの代わりに基部８４２ａを垂下体７００に固定してもよい。
【００８１】
実施例２の釣り用おもり５−２は、以上のように構成され、これを使用する際には、図９に示すように、まず、道糸連結部２０に道糸Ｌを連結し、ハリス連結部８５１にハリスＨ等を介して掛け針Ｎ（上記実施例における掛け針Ｎと同一構成のもの）を連結し、また、ハリス連結部８５２についてもハリスＨ等を介して掛け針Ｎを連結することにより、釣り用仕掛けを組み立てる。
【００８２】
次に、餌付け針３０に釣り餌を掛け付け、当該仕掛けを海中に投下し、底取りを行った後、海底近くにある仕掛けを時々しゃくり、対象魚のフグを誘い寄せ、アタリを感知したら、釣り竿を立てつつ素早く短く引き上げ、フグに掛け針Ｎを引っ掛けて、リールを巻き上げ、フグを釣り上げる。
【００８３】
なお、潮流が遅く、波の低い穏やかな状態であれば、ハリスの絡まりによる不具合が発生する危険性は低くなるので、おもり体１０の下部に設けたハリス連結補助部６０にもハリスＨを介して掛け針Ｎを連結してもよく、掛け針Ｎの数を増やすことで、掛け針Ｎがフグに掛かる確率を上げ、釣果の向上を図ることができる。
【００８４】
この釣り用おもり５−２によれば、根掛かりによる不具合の発生を防止することができる。つまり、釣り用おもり５−２は、おもり体１０の下部から垂下された垂下体７００が、餌付け針３０の軸部３２に沿って下方に伸び、垂下体７００の下端部が餌付け針３０よりも下方となる位置に到達しているので、仕掛けを海中に投下した後の底取りの際、垂下体７００により、海底に対しおもり体１０を支持することができ、このことにより、餌付け針３０は着底せず、餌付け針３０による根掛かりの発生を防止することができる。
【００８５】
また、例えば、海底が凹凸の激しい岩場である等の悪条件下では、底取りの際、垂下体７００が岩の隙間等に入り込んで、垂下体７００が着底できない場合もあり得るが、アーム状部８４１が、垂下体７００の上下方向の中間部位から、餌付け針３０の真下の右側で、かつ、垂下体７００の下端部よりも上方となる位置に向けて連設され、また、アーム状部８４２が、上記中間部位から、餌付け針３０の真下の左側で、かつ、垂下体７００の下端部よりも上方となる位置に向けて連設されていることにより、餌付け針３０の真下の周辺が広くガードされているので、餌付け針３０による根掛かりの発生を防止することができる。
【００８６】
また、垂下体７００が、餌付け針３０の軸部３２の背３２ｂの後方に設けられているので、軸部３２の腹３２ａ側である針先部３６側にはフグの餌への接近を妨げるものがなく、集魚性がよい。
【００８７】
また、釣り用おもり５−２によれば、短いハリスＨを使用することにより、ハリスＨが絡まったり、掛け針Ｎが引っ掛かったりする不具合の発生を防止することができる。つまり、釣り用おもり５−２は、ハリス連結部８５１及びハリス連結部８５２が、餌付け針３０よりも下方に位置しているので、例えば、ハリスＨを使わなくても、連結金具類だけで餌付け針３０の下方に掛け針Ｎを配置することができ、また、ハリスＨを使用する場合でも、ハリス連結金具が餌付け針よりも上方に設けられている従来の一般的なフグ釣り用仕掛けの場合よりも短いハリスＨでよいので、仕掛けの沈降中や、フグを誘うためのしゃくり動作により、ハリスＨ及び掛け針Ｎを上下動させた際、ハリスＨが非対象物に絡まったり、掛け針Ｎが非対象物に引っ掛かったりする可能性が低い。
【００８８】
また、ハリス連結部８５１及びハリス連結部８５２が、垂下体７００の下端部よりも上方に設けられているので、例えば、垂下体７００の下端部が着底している状態において掛け針Ｎが海底に接触しない長さのハリスＨ（図９に示したものより短くしたもの）を使用することにより、掛け針Ｎの根掛かりについても防止することができる。
【００８９】
また、餌付け針３０の下方において、掛け針Ｎが餌付け針３０の間近に位置していることから、掛け針Ｎを引き上げる際、フグに動きを察知されても逃げられずに、掛け針Ｎをフグに引っ掛けることができる可能性が高い。
【００９０】
また、ハリス連結部８５１とハリス連結部８５２を有することにより、掛け針Ｎの数を増やし、掛け針Ｎがフグに掛かる確率を上げることができる。
【００９１】
さらには、垂下体７００が、１本の線条材から形成され、また、アーム状ユニット群８００が、１本の線条材から一体的に形成されていて、線条材は、安価で、加工が容易な資材であるので、線条材を利用することにより、製造コスト低く抑えることができる。
【実施例３】
【００９２】
次に、実施例３の釣り用おもりについて説明する。実施例３の釣り用おもり５−３は、図１０〜図１３に示すように構成され、おもり体１００と、餌付け針３０と、垂下体４０と、アーム状ユニット５０と、固定具５６と、を有している。垂下体４０とアーム状ユニット５０と固定具５６とで下方構成部Ａ３が構成される。道糸連結部２０と、餌付け針３０と、垂下体４０と、ハリス連結補助部６０とは、おもり体１００に取り付けられている。
【００９３】
おもり体１００は、本体部１１０と、本体部１１０の側面部に設けられた潮切り板部１２０と、を有している。本体部１１０は、鉛（鉛合金、タングステン合金でもよい）により鋳造され、上下方向に長く、弾丸を立てたような形状、つまり、上端部がドーム状に丸く形成された円錐の底面部に、該底面部と同一半径の上下の端面部を有する円柱の該上端面部を結合したような形状を呈している。
【００９４】
つまり、本体部１１０は、回転体形状を呈しているともいえる。回転体とは、ある平面図形をそれと同一平面内に位置する軸を中心に回転させることにより得られる立体形状で、球体、円錐体、円柱体等は回転体であり、これらをその中心軸（回転軸）を同一直線上に揃えて結合して得られる形状（本体部１１０のような形状）は回転体である。
【００９５】
潮切り板部１２０は、頂角が鋭角の二等辺三角形状を呈するステンレススチール製の薄板材の一部分を本体部１１０の中に埋め込んで固定することにより形成されている。
【００９６】
具体的には、本体部１１０を鋳造する際、所定形状に調製された鋳型の所定位置に薄板材（潮切り板部１２０）を設置し、そこへ融解した鉛等を流し込んで鋳造成形を行うことにより、本体部１１０の中に前記薄板材の一方の等長斜辺部側を埋め込み、薄板材の頂角部を本体部１１０の上方に突出させるとともに、薄板材の中央部及び薄板材の他方の等長斜辺部側が本体部１１０の側面部の所定部位から突出するようにしている。
【００９７】
なお、鋳型に潮切り板部１２０を設置する際に、餌付け針３０と、垂下体４０、ハリス連結補助部６０についても、同様にそれぞれの所定位置に設置する。また、おもり体１００は、その表面にウレタン樹脂等の合成樹脂を主成分とする塗料により、表面保護用のコーティングを施したものとしてもよく、また、集魚性を高めるために、適宜着色したものとしてもよい。
【００９８】
以上のようにして、位置決めされた潮切り板部１２０は、本体部１１０の側面部における母線（本体部１１０の側面部における仮想線で、本体部１１０の中心軸線（回転軸線）Ｃに沿った仮想線）上から、本体部１１０の遠心方向（径方向外向き）に突出するように設けられている。
【００９９】
つまり、潮切り板部１２０は、本体部１１０の中心軸線Ｃ方向に沿って側面部から連設されているとともに、側面部から遠心方向に突出して形成されており、本体部１１０の側面部から突出している潮切り面１２２ａ、１２２ｂで、互いに相反する向きに面する一対の潮切り面１２２ａ、１２２ｂと、一方の潮切り面１２２ａの外縁部と他方の潮切り面１２２ｂの外縁部との間に介在する端面部１２２ｃと、を有し、この潮切り面１２２ａ、１２２ｂは、本体部１１０の遠心方向に対し平行である。
【０１００】
また、おもり体１００における潮切り板部１２０には、道糸連結部１３０と、ハリス連結補助部１４０が設けられている。
【０１０１】
すなわち、道糸連結部１３０は、上記の三角形状の薄板材（すなわち、潮切り板部１２０）の頂角部で、本体部１１０の上方に突出させた頂角部の適宜位置に穴を空けることにより形成されている。つまり、道糸連結部１３０は、おもり体１００の頂部であり、かつ、本体部１１０の中心軸線Ｃ上に形成され、図１３に示すように、この道糸連結部１３０に道糸Ｌの一方の端部を挿通し、道糸連結部１３０に道糸Ｌを結び付けることにより、おもり体１００が吊り下げられる。
【０１０２】
また、潮切り板部１２０の下部には、潮切り板部１２０に穴を空けることにより形成されたハリス連結補助部１４０が設けられている。このハリス連結補助部１４０は、ハリスＨを介して掛け針Ｎを連結するためのものであるが、補助的なものであり、常時使用されるものではない。その使用方法については後説する。
【０１０３】
以上のように、潮切り板部１２０が、本体部１１０の側面部における母線上から本体部１１０の遠心方向に突出しており、かつ、道糸連結部１３０が、本体部１１０の中心軸線Ｃ上に設けられており、道糸連結部１３０に連結した道糸Ｌが本体部１１０の中心軸線Ｃと同一直線上に配置されることにより、海中に投下されて、道糸Ｌに吊り下げられた状態のおもり体１００の態勢が速やかに安定する。
【０１０４】
つまり、おもり体１００を海中に投下すると、潮切り板部１２０が有する一対の潮切り面１２２ａ、１２２ｂのうち、潮流の上流側に正対しているか、または、潮流方向と斜めに交差した状態で潮流に対向している側の一方の潮切り面（例えば、潮切り面１２２ａとする）が潮流を受けて、潮切り板部１２０が押される。
【０１０５】
すると、おもり体１００は、本体部１１０の中心軸線Ｃと同一直線上に配置された道糸Ｌにより吊り下げられているため、本体部１１０の中心軸線Ｃを中心にスムーズに水平方向に回転し、回転し過ぎて他方の潮切り面（例えば、潮切り面１２２ｂ）が潮流の上流側に対向する状態となった場合、他方の潮切り面（潮切り面１２２ｂ）が潮流を受けて反対方向に回転し、このように交互の相反方向への回転を幾度か繰り返し、その都度回転角度が小さくなり、おもり体１００は、最終的には、本体部１１０側を上流側とし、潮切り板部１２０側を下流側とし、各潮切り面１２２ａ、１２２ｂと潮流方向とが略平行となる態勢に落ち着く。
【０１０６】
次に、餌付け針３０について説明する。なお、本実施例における餌付け針３０は、上記各実施例における餌付け針３０と同一の構成を有するものであるため、図１０〜図１３において、上記共通部分については、同一の符号を付して表し、以下に説明する。餌付け針３０は、フグを誘い寄せる釣り餌を掛け付けるための釣り針で、鋼鉄（ステンレススチールでもよい）により形成され、一般的な釣り針と同様の構成を有している。
【０１０７】
つまり、餌付け針３０は、全体外形が略「し」の字形状を呈し、直線形状の軸部３２と、軸部３２の下端部から連設された湾曲部３４で、軸部３２の下端部から上方に向けて略半円弧状に湾曲して形成された湾曲部３４と、湾曲部３４における軸部３２側とは反対側の端部から連設された針先部３６で、その尖端部が上向きの針先部３６と、針先部３６の側部であり軸部３２に対向する側の側部に形成されたカエシ部３８と、を有し、軸部３２と、湾曲部３４と、針先部３６と、カエシ部３８と、の各部は、同一平面方向（同一の平面方向としてもよい）（この方向が特定平面方向となる）に沿って形成されている。なお、軸部３２の側面部で針先部３６に対向する側の半面は、腹３２ａと呼ばれ、その反対側の半面は、背３２ｂと呼ばれる。
【０１０８】
また、餌付け針３０は、軸部３２の腹３２ａを潮切り板部１２０側に向けた状態で、本体部１１０の所定部位から垂下されている。具体的には、上記各実施例の場合と同様、本体部１１０を鋳造する際、所定形状に調製された鋳型の所定位置に餌付け針３０を設置し、そこへ融解した鉛等を流し込んで鋳造成形を行うことにより、本体部１１０の下部に軸部３２の上端部だけが埋め込まれて、本体部１１０の底面部における所定部位から、軸部３２が垂下された状態で、餌付け針３０が、おもり体１００に固定される。
【０１０９】
以上のようにして、位置決めされた餌付け針３０は、本体部１１０の底面部において、軸部３２の腹３２ａを潮切り板部１２０側に向けた状態で、潮切り板部１２０の突出方向と同一方向の径方向線Ｒ上から垂下されており、つまりは、潮切り板部１２０と、餌付け針３０とが、同一平面方向（つまり、特定平面方向）に沿って形成されている。
【０１１０】
次に、垂下体４０及びアーム状ユニット５０ついて説明する。なお、本実施例における垂下体４０及びアーム状ユニット５０は、上記実施例１における垂下体４０及びアーム状ユニット５０と共通の構成を有するものであるため、図１０〜図１３において、上記共通部分については、同一の符号を付して表し、以下に説明する。
【０１１１】
垂下体４０は、おもり体１００の下部から垂下して形成されている。垂下体４０は、ステンレススチール製（真鍮製でもよい）の１本の線条材（第１線条材）から形成され、直線形状を呈し、上記実施例の場合と同様に、本体部１１０を鋳造する際、所定形状に調製された鋳型の所定位置に垂下体４０を設置し、そこへ融解した鉛等を流し込んで鋳造成形を行うことにより、本体部１１０の下部に垂下体４０の上端部だけが埋め込まれて、本体部１１０の底面部における所定部位から、垂下体４０が垂下された状態で、垂下体４０が、おもり体１００に固定される。
【０１１２】
つまり、垂下体４０は、その上端部が、餌付け針３０の平面方向と、おもり体１００の下部側表面とが交わる線上に位置する所定部位で、餌付け針３０の軸部３２の背３２ｂの後方に位置する所定部位に固定され、当該部位から、餌付け針３０の軸部３２に沿って下方に伸び、垂下体４０の下端部は、餌付け針３０よりも下方の位置で、餌付け針３０からやや離れた位置にまで到達している。
【０１１３】
アーム状ユニット５０は、アーム状部５２と、アーム状部５２の先端に設けられたハリス連結部（連結部）５４とを有している。
【０１１４】
アーム状部５２は、直線形状を呈する基部５２ａと、基部５２ａの一方の端部から連設され、曲線形状（直線形状でもよい）を呈するアーム状部本体５２ｂと、を有しており、基部５２ａと、アーム状部本体５２ｂと、ハリス連結部５４とは、ステンレススチール製（真鍮製でもよい）の１本の線条材（垂下体４０を形成した第１線条材とは別の線条材である第２線条材）から一体的に形成されている。
【０１１５】
具体的には、アーム状ユニット５０を構成する線条材は、その一方の端部から、一方の端部と他方の端部との間に位置する第１箇所Ｐ１までの領域（直線状の領域）を基部５２ａの領域とし、第１箇所Ｐ１からハリス連結部５４側の端部である第２箇所Ｐ２までの領域（曲線状に湾曲した領域）をアーム状部本体５２ｂの領域とし、第２箇所Ｐ２から他方の端部までの領域をハリス連結部５４の領域としており、アーム状部５２は、アーム状部本体５２ｂの領域を基部５２ａの領域に対し、所定向き（具体的には、横向き）に屈曲することにより、基部５２ａとアーム状部本体５２ｂとが角度をなした状態に形成され、ハリス連結部５４は、ハリス連結部５４の領域を上記所定向きと同一向きに巻回することにより環形状に形成されている。アーム状部本体５２ｂは先端側にいくほど垂下体４０から離れるように形成されている。また、基部５２ａと、アーム状部本体５２ｂと、ハリス連結部５４の各部が同一平面方向（つまり、特定平面方向）に沿って形成されている。
【０１１６】
そして、垂下体４０の上下方向の中間部位において、垂下体４０とアーム状部５２の基部５２ａとが平行に束ねられた状態で、固定具５６により固定され（つまり、基部５２ａが垂下体４０（具体的には、垂下体４０の正面側（餌付け針３０における針先部３６側を正面側とし、軸部３２側を背面側とした場合の正面側））に沿った状態で固定されている）、アーム状部５２のアーム状部本体５２ｂが、餌付け針３０側へ屈曲した状態とされているとともに、餌付け針３０の下方であり、かつ、垂下体４０の下端部よりも上方となる位置において、上記特定平面方向（餌付け針３０が形成された平面方向）に沿って伸びており、アーム状部本体５２ｂから連設されているハリス連結部５４は、餌付け針３０の下端より下側（上下方向における下側）（具体的には、餌付け針３０の真下又はその近傍）で、かつ、垂下体４０の下端部よりも上側（上下方向における上側）に位置している。
【０１１７】
固定具５６は、真鍮製（ステンレススチール製でもよい）の筒体で、この固定具５６により、垂下体４０と、アーム状部５２の基部５２ａと、をかしめている。つまり、固定具５６に垂下体４０と、基部５２ａと、を挿通し、固定具５６を押し潰して、垂下体４０と、基部５２ａとに圧着することにより、垂下体４０と基部５２ａとが結束されるとともに、垂下体４０に基部５２ａが固定されている。なお、垂下体４０と基部５２ａとの固定については、溶接（ろう付け、ハンダ付け）、接着剤等によってもよい。また、ステンレススチール糸を巻回することにより、垂下体４０と基部５２ａを結束し固定してもよい。
【０１１８】
ここで、潮切り板部１２０と、餌付け針３０と、垂下体４０と、ハリス連結部５４との位置関係について確認する。図１０、図１３に示すように、潮切り板部１２０は、本体部１１０の側面部における母線（中心軸線Ｃ方向に沿った線）上から、本体部１１０の径方向外向き（遠心方向）に突出している。餌付け針３０は、その各部（全体）が同一平面方向に沿って形成され、本体部１１０の底面部において、軸部３２が、その腹３２ａを潮切り板部１２０に向けた状態で、潮切り板部１２０の突出方向と同一方向の径方向線Ｒ上から垂下されている。つまり、潮切り板部１２０と餌付け針３０とは、同一平面方向に沿って形成されている。
【０１１９】
垂下体４０及びアーム状ユニット５０は、その各部（全体）が同一平面方向に沿って形成されている。本体部１１０の底面部において、垂下体４０は、潮切り板部１２０の突出方向と同一方向の径方向線Ｒ上であって、餌付け針３０の軸部３２の背３２ｂの後方に位置する部位から垂下されており、アーム状部５２は、餌付け針３０の真下に位置している。つまり、餌付け針３０と垂下体４０及びアーム状ユニット５０とは、同一平面方向に沿って形成されている。つまりは、潮切り板部１２０と、餌付け針３０（すなわち、軸部３２と、湾曲部３４と、針先部３６と、カエシ部３８）と、下方構成部Ａ１（すなわち、垂下体４０と、基部５２ａと、アーム状部本体５２ｂと、ハリス連結部５４と、固定具５６）とが、同一平面方向（この方向が特定平面方向となる）に沿って形成され、アーム状ユニット５０は、餌付け針３０の下方において、餌付け針３０の真下又はその近傍に位置している。
【０１２０】
実施例３の釣り用おもり５−３は、以上のように構成され、これを使用する際には、図１３に示すように、まず、道糸連結部１３０に道糸Ｌを連結し、ハリス連結部５４に、ハリスＨ等を介して掛け針Ｎ（上記各実施例における掛け針Ｎと同一構成を有するもの）を連結することにより、釣り用仕掛けを組み立てる。
【０１２１】
次に、餌付け針３０に釣り餌を掛け付け、当該仕掛けを海中に投下し、底取りを行った後、海底近くにある仕掛けを時々しゃくり、対象魚のフグを誘い寄せ、アタリを感知したら、釣り竿を立てつつ素早く短く引き上げ、フグに掛け針Ｎを引っ掛けて、リールを巻き上げ、フグを釣り上げる。
【０１２２】
なお、潮流が遅く、波の低い穏やかな状態であれば、ハリスの絡まりによる不具合が発生する危険性は低くなるので、潮切り板部１２０の下部に設けたハリス連結補助部１４０にもハリスＨを介して掛け針Ｎを連結してもよく、掛け針Ｎの数を増やすことで、掛け針Ｎがフグに掛かる確率を上げ、釣果の向上を図ることができる。
【０１２３】
この釣り用おもり５−３によれば、根掛かりによる不具合の発生を防止することができる。つまり、釣り用おもり５−３は、おもり体１００の下部から垂下された垂下体４０が、餌付け針３０の軸部３２に沿って下方に伸び、垂下体４０の下端部が餌付け針３０よりも下方となる位置に到達しているので、仕掛けを海中に投下した後の底取りの際、垂下体４０により、海底に対しおもり体１００を支持することができ、このことにより、餌付け針３０は着底せず、餌付け針３０による根掛かりの発生を防止することができる。
【０１２４】
また、例えば、海底が凹凸の激しい岩場である等の悪条件下では、底取りの際、垂下体４０が岩の隙間等に入り込んで、垂下体４０が着底できない場合もあり得るが、垂下体４０の上下方向の中間部位から連設されたアーム状部５２が、餌付け針３０の下方であり、かつ、垂下体４０の下端部よりも上方となる位置において、餌付け針３０が形成された平面方向に沿って設けられているので、餌付け針３０の真下は、アーム状部５２によってガードされており、このことにより、海底の障害物はアーム状部５２に衝突し、餌付け針３０には接触しないので、悪条件下であっても、餌付け針３０による根掛かりの発生を防止することができる。
【０１２５】
また、垂下体４０が、餌付け針３０の軸部３２の背３２ｂの後方に設けられているので、軸部３２の腹３２ａ側である針先部３６側にはフグの餌への接近を妨げるものがなく、集魚性がよい。
【０１２６】
また、釣り用おもり５−３によれば、短いハリスＨを使用することにより、ハリスＨが絡まったり、掛け針Ｎが引っ掛かったりする不具合の発生を防止することができる。つまり、釣り用おもり５−３は、ハリス連結部５４が、餌付け針３０よりも下方に位置しているので、例えば、ハリスＨを使わなくても、連結金具類だけで餌付け針３０の下方に掛け針Ｎを配置することができ、また、ハリスＨを使用する場合でも、ハリス連結金具が餌付け針よりも上方に設けられている従来の一般的なフグ釣り用仕掛けの場合よりも短いハリスＨでよいので、仕掛けの沈降中や、フグを誘うためのしゃくり動作により、ハリスＨ及び掛け針Ｎを上下動させた際、ハリスＨが非対象物に絡まったり、掛け針Ｎが非対象物に引っ掛かったりする可能性が低い。
【０１２７】
また、ハリス連結部５４が、垂下体４０の下端部よりも上方に設けられているので、例えば、垂下体４０の下端部が着底している状態において掛け針Ｎが海底に接触しない長さのハリスＨ（図１３に示したものより短くしたもの）を使用することにより、掛け針Ｎの根掛かりについても防止することができる。
【０１２８】
また、餌付け針３０の下方において、掛け針Ｎが餌付け針３０の間近に位置していることから、掛け針Ｎを引き上げる際、フグに動きを察知されても逃げられずに、掛け針Ｎをフグに引っ掛けることができる可能性が高い。
【０１２９】
また、釣り用おもり５−３は、潮切り板部１２０により、潮流中で本体部１１０を潮流の上流側とし、潮切り板部１２０を下流側とした状態で態勢が安定し、潮切り板部１２０と、軸部３２の腹３２ａを潮切り板部１２０に向けた状態の餌付け針３０と、垂下体４０とが、同一平面方向に沿って形成されているので、針先部３６を下流側とした餌付け針３０よりも下方で、かつ、餌付け針よりも３０下流の位置において、ハリスＨ及び掛け針Ｎが潮流方向（上記特定平面方向と同一方向）に沿ってたなびくこととなるから、潮流の下流側から近付くフグの間近下方に掛け針Ｎを漂わせることができ、その状態から釣り竿をしゃくり上げることにより、掛け針Ｎがフグに掛かる可能性が高い。
【０１３０】
さらには、垂下体４０が、１本の線条材から形成され、また、アーム状ユニット５０が、１本の線条材から一体的に形成されていて、線条材は、安価で、加工が容易な資材であるので、線条材を利用することにより、製造コスト低く抑えることができる。
【実施例４】
【０１３１】
次に、実施例４の釣り用おもりについて説明する。実施例４の釣り用おもり５−４は、図１４〜図１８に示すように構成され、おもり体１００と、餌付け針３０と、垂下体７００と、アーム状ユニット群８００と、固定具７６０と、を有している。垂下体７００とアーム状ユニット群８００と固定具７６０とで下方構成部Ａ４が構成される。餌付け針３０と、垂下体７００とは、おもり体１００に取り付けられている。
【０１３２】
ここで、おもり体１００と、餌付け針３０と、おもり体１００に設けられた道糸連結部１３０及びハリス連結補助部１４０とについては、実施例３の釣り用おもり５−３が有する構成と共通しているので、図１４〜図１８において、上記共通部分については、同一の符号を付して表し、共通部分の詳細な説明については、ここでは省略する。以下、垂下体７００と、アーム状ユニット群８００について説明する。
【０１３３】
垂下体７００は、おもり体１００の下部から垂下して形成されている。垂下体７００は、ステンレススチール製（真鍮製でもよい）の１本の線条材（第１線条材）から形成され、直線形状を呈し、おもり体１００を鋳造する際、おもり体１００の中に垂下体７００の一部のみを埋設することにより、おもり体１００における所定部位に固定されている。
【０１３４】
つまり、垂下体７００は、その上端部が、餌付け針３０の平面方向（つまり、特定平面方向）と、おもり体１００の下部側表面とが交わる線上に位置する所定部位で、餌付け針３０の軸部３２の背３２ｂの後方に位置する所定部位に固定され、当該部位から、餌付け針３０の軸部３２に沿って下方に伸び、垂下体７００の下端部は、餌付け針３０よりも下方の位置で、餌付け針３０からやや離れた位置にまで到達している。
【０１３５】
アーム状ユニット群８００は、アーム状ユニット８０１と、アーム状ユニット８０１と接続されたアーム状ユニット８０２と、折返し部８０３とを有している。アーム状ユニット８０１とアーム状ユニット８０２は、線条材を略半円状に湾曲してなる折返し部８０３を介して連設されている。
【０１３６】
アーム状ユニット８０１は、アーム状部８４１と、アーム状部８４１の先端に設けられたハリス連結部（第１連結部）８５１とを有している。
【０１３７】
ここで、アーム状部８４１は、直線形状を呈する基部８４１ａと、基部８４１ａの一方の端部から連設された曲線形状（直線形状でもよい）を呈するアーム状部本体８４１ｂと、を有し、ハリス連結部８５１は、アーム状部本体８４１ｂにおける基部８４１ａ側とは反対側の端部から連設されている。また、ハリス連結部８５１は、アーム状部８４１から伸びた線条材の先端領域を上向きに巻回することにより環形状に形成されている。
【０１３８】
アーム状ユニット８０２は、アーム状部８４２と、アーム状部８４２の先端に設けられたハリス連結部（第２連結部）８５２とを有している。
【０１３９】
ここで、アーム状部８４２は、前記基部８４１ａの他方の端部から連設され、直線形状を呈する基部８４２ａと、基部８４２ａにおける基部８４１ａ側とは反対側の端部から連設され、曲線形状（直線形状でもよい）を呈するアーム状部本体８４２ｂと、を有し、ハリス連結部８５２は、アーム状部本体８４２ｂにおける基部８４２ａ側とは反対側の端部から連設されている。また、ハリス連結部８５２は、アーム状部８４１から伸びた線条材の先端領域を上向きに巻回することにより環形状に形成されている。
【０１４０】
具体的には、アーム状ユニット８０１とアーム状ユニット８０２とは、ステンレススチール製（真鍮製でもよい）の１本の線条材（垂下体７００を形成した第１線条材とは別の線条材）から一体的に形成されている。
【０１４１】
つまり、該線条材は、その中央箇所Ｑ０から、中央箇所Ｑ０と一方の端部との間に位置する第１箇所Ｑ１（直線状の領域の下端位置）までの領域を基部８４１ａの領域とし、第１箇所Ｑ１からハリス連結部８５１側の端部である第２箇所Ｑ２までの領域（曲線状に湾曲した領域）をアーム状部本体８４１ｂの領域とし、第２箇所Ｑ２から一方の端部までの領域をハリス連結部８５１の領域とし、また、中央箇所Ｑ０から、中央箇所Ｑ０と他方の端部との間に位置する第３箇所Ｑ３までの領域を基部８４２ａの領域とし、第３箇所Ｑ３からハリス連結部８５２側の端部である第４箇所Ｑ４までの領域をアーム状部本体８４２ｂの領域とし、第４箇所Ｑ４から他方の端部までの領域をハリス連結部８５２の領域としている。
【０１４２】
また、アーム状部本体８４１ｂの領域を基部８４１ａの領域に対し所定向き（第１屈曲向き）に屈曲することにより、基部８４１ａとアーム状部本体８４１ｂとが角度をなした状態に形成され、ハリス連結部８５１は、ハリス連結部８５１の領域を上記第１屈曲向きと同一向きに巻回することにより環形状に形成され、また、アーム状部本体８４２ｂの領域を基部８４２ａの領域に対し所定向き（上記第１屈曲向きとは異なる向きの第２屈曲向き）に屈曲することにより、基部８４２ａとアーム状部本体８４２ｂとが角度をなした状態に形成され、ハリス連結部８５２は、ハリス連結部８５２の領域を上記第２屈曲向きと同一向きに巻回することにより環形状に形成され、基部８４１ａの領域に対し基部８４２ａの領域を約１８０度屈曲することにより、アーム状ユニット群８００の全体が、中央箇所Ｑ０を折り返し箇所とした二つ折り状態とされている。アーム状部本体８４１ｂとアーム状部本体８４２ｂは先端側にいくほど垂下体７００から離れるように形成されている。
【０１４３】
アーム状部本体８４１ｂとアーム状部本体８４２ｂとは、上面視において、上記特定平面方向に対して鋭角をなし、上記特定平面方向に対して対称に形成されている。また、基部８４１ａと基部８４２ａとは互いに平行になっている。
【０１４４】
そして、垂下体７００の上下方向の中間部位において、垂下体７００と、アーム状部８４１の基部８４１ａとが平行に束ねられた状態で、固定具７６０により固定され（つまり、基部８４１ａが垂下体７００に沿った状態で固定されている）、アーム状部８４１のアーム状部本体８４１ｂが、餌付け針３０側へ屈曲した状態とされているとともに、ハリス連結部８５１は、餌付け針３０の真下の右側（つまり、餌付け針３０における針先部３６側を正面側とし、軸部３２側を背面側とした場合の右側面側）で、かつ、垂下体７００の下端部よりも上方に位置し、また、アーム状部８４２のアーム状部本体８４２ｂが、餌付け針３０側へ屈曲した状態とされているとともに、ハリス連結部８５２は、餌付け針３０の真下の左側（つまり、餌付け針３０における針先部３６側を正面側とし、軸部３２側を背面側とした場合の左側面側）で、かつ、垂下体７００の下端部よりも上方に位置している。つまり、ハリス連結部８５１、８５２は、餌付け針３０の下端よりも下側（上下方向における下側）に設けられている。
【０１４５】
固定具７６０は、上記実施例の場合と同様に、真鍮製（ステンレススチール製でもよい）の筒体であり、この固定具７６０により、垂下体７００と、アーム状ユニット８０１の基部８４１ａとをかしめている。つまり、固定具７６０に垂下体７００と基部８４１ａとを挿通し、固定具７６０を押し潰して、垂下体７００と基部８４１ａとに圧着することにより、垂下体７００と基部８４１ａとが結束されるとともに、垂下体７００に基部８４１ａが固定されている。なお、図１４〜図１８においては、アーム状ユニット群８００は、垂下体７００の餌付け針３０側（正面側）に配置して取り付けられているが、垂下体７００の餌付け針３０側と反対側（つまり、背面側）に配置して取り付けてもよい。また、垂下体７００と基部８４１ａとの固定については、溶接（ろう付け、ハンダ付け）、接着剤等によってもよい。また、ステンレススチール糸を巻回することにより、垂下体７００と基部８４１ａを結束し固定してもよい。なお、基部８４１ａの代わりに基部８４２ａを垂下体７００に固定してもよい。
【０１４６】
ここで、潮切り板部１２０と、餌付け針３０と、垂下体７００との位置関係について確認する。図１４、図１８に示すように、潮切り板部１２０は、本体部１１０の側面部における母線（中心軸線Ｃ方向に沿った線）上から、本体部１１０の径方向外向き（遠心方向）に突出している。餌付け針３０は、その各部（全体）が同一平面方向に沿って形成され、本体部１１０の底面部において、軸部３２が、その腹３２ａを潮切り板部１２０に向けた状態で、潮切り板部１２０の突出方向と同一方向の径方向線Ｒ上から垂下され、潮切り板部１２０と餌付け針３０とは、同一平面方向に沿って形成されている。
【０１４７】
垂下体７００は、本体部１１０の底面部において、潮切り板部１２０の突出方向と同一方向の径方向線Ｒ上であって、餌付け針３０の軸部３２の背３２ｂの後方に位置する部位から垂下されている。つまり、餌付け針３０と垂下体７００とは、同一平面方向に沿って形成されている。つまりは、潮切り板部１２０と、針先部３６を潮切り板部１２０側に向けた状態の餌付け針３０と、垂下体７００とは、同一平面方向に沿って形成され、ハリス連結部８５１は、餌付け針３０の真下の右側で、かつ、垂下体７００の下端部よりも上方に位置し、ハリス連結部８５２は、餌付け針３０の真下の左側で、かつ、垂下体７００の下端部よりも上方に位置している．
以上のようにして、図１６に示すように、潮切り板部１２０と、餌付け針３０（すなわち、軸部３２と、湾曲部３４と、針先部３６と、カエシ部３８）と、垂下体７００とが、平面Ｍに沿って（つまり、同一平面方向（同一の平面方向としてもよい）に沿って）形成されている。この平面Ｍの方向が特定平面方向となる。
【０１４８】
実施例４の釣り用おもり５−４は、以上のように構成され、これを使用する際には、図１８に示すように、まず、道糸連結部１３０に道糸Ｌを連結し、ハリス連結部８５１にハリスＨ等を介して掛け針Ｎを連結し、また、ハリス連結部８５２についてもハリスＨ等を介して掛け針Ｎを連結し、釣り用仕掛けを組み立てる。
【０１４９】
次に、餌付け針３０に釣り餌を掛け付け、当該仕掛けを海中に投下し、底取りを行った後、海底近くにある仕掛けを時々しゃくり、対象魚のフグを誘い寄せ、アタリを感知したら、釣り竿を立てつつ素早く短く引き上げ、フグに掛け針Ｎを引っ掛けて、リールを巻き上げ、フグを釣り上げる。
【０１５０】
なお、潮流が遅く、波の低い穏やかな状態であれば、ハリスの絡まりによる不具合が発生する危険性は低くなるので、潮切り板部１２０の下部に設けたハリス連結補助部１４０にもハリスＨを介して掛け針Ｎを連結してもよく、掛け針Ｎの数を増やすことで、掛け針Ｎがフグに掛かる確率を上げ、釣果の向上を図ることができる。
【０１５１】
この釣り用おもり５−４によれば、根掛かりによる不具合の発生を防止することができる。つまり、釣り用おもり５−４は、おもり体１００の下部から垂下された垂下体７００が、餌付け針３０の軸部３２に沿って下方に伸び、垂下体７００の下端部が餌付け針３０よりも下方となる位置に到達しているので、仕掛けを海中に投下した後の底取りの際、垂下体７００により、海底に対しおもり体１００を支持することができ、このことにより、餌付け針３０は着底せず、餌付け針３０による根掛かりの発生を防止することができる。
【０１５２】
また、例えば、海底が凹凸の激しい岩場である等の悪条件下では、底取りの際、垂下体７００が岩の隙間等に入り込んで、垂下体７００が着底できない場合もあり得るが、
アーム状部８４１が、垂下体７００の上下方向の中間部位から、餌付け針３０の真下の右側で、かつ、垂下体７００の下端部よりも上方となる位置に向けて連設され、また、アーム状部８４２が、上記中間部位から、餌付け針３０の真下の左側で、かつ、垂下体７００の下端部よりも上方となる位置に向けて連設されていることにより、餌付け針３０の真下の周辺が広くガードされているので、餌付け針３０による根掛かりの発生を防止することができる。
【０１５３】
また、垂下体７００が、餌付け針３０の軸部３２の背３２ｂの後方に設けられているので、軸部３２の腹３２ａ側である針先部３６側にはフグの餌への接近を妨げるものがなく、集魚性がよい。
【０１５４】
また、釣り用おもり５−４によれば、短いハリスＨを使用することにより、ハリスＨが絡まったり、掛け針Ｎが引っ掛かったりする不具合の発生を防止することができる。つまり、釣り用おもり５−４は、ハリス連結部８５１及びハリス連結部８５２が、餌付け針３０よりも下方に位置しているので、例えば、ハリスＨを使わなくても、連結金具類だけで餌付け針３０の下方に掛け針Ｎを配置することができ、また、ハリスＨを使用する場合でも、ハリス連結金具が餌付け針よりも上方に設けられている従来の一般的なフグ釣り用仕掛けの場合よりも短いハリスＨでよいので、仕掛けの沈降中や、フグを誘うためのしゃくり動作により、ハリスＨ及び掛け針Ｎを上下動させた際、ハリスＨが非対象物に絡まったり、掛け針Ｎが非対象物に引っ掛かったりする可能性が低い。
【０１５５】
また、ハリス連結部８５１及びハリス連結部８５２が、垂下体７００の下端部よりも上方に設けられているので、例えば、垂下体７００の下端部が着底している状態において掛け針Ｎが海底に接触しない長さのハリスＨ（図１８に示したものより短くしたもの）を使用することにより、掛け針Ｎの根掛かりについても防止することができる。
【０１５６】
また、餌付け針３０の下方において、掛け針Ｎが餌付け針３０の間近に位置していることから、掛け針Ｎを引き上げる際、フグに動きを察知されても逃げられずに、掛け針Ｎをフグに引っ掛けることができる可能性が高い。
【０１５７】
また、釣り用おもり５−４は、潮切り板部１２０により、潮流中で本体部１１０を潮流の上流側とし、潮切り板部１２０を下流側とした状態で態勢が安定し、潮切り板部１２０と、餌付け針３０とが、同一平面方向に沿って形成され、ハリス連結部８５１が、餌付け針３０の真下の右側に位置し、ハリス連結部８５２が餌付け針３０の真下の左側に位置しているので、ハリス連結部８５１に連結されたハリスＨ及び掛け針Ｎと、ハリス連結部８５２に連結されたハリスＨ及び掛け針Ｎとは、潮流方向に沿って、かつ、平行に並んだ状態でたなびき、餌付け針３０よりも下方で、かつ、餌付け針３０よりも下流の位置において、潮流の下流側から接近してくるフグの間近に２つの掛け針ＮをハリスＨが絡まることなく配置でき、その状態から釣り竿をしゃくり上げることにより、確実にフグに掛け針Ｎを掛けることができる。
【０１５８】
さらには、垂下体７００が、１本の線条材から形成され、また、アーム状ユニット群８００が、１本の線条材から一体的に形成されていて、線条材は、安価で、加工が容易な資材であるので、線条材を利用することにより、製造コスト低く抑えることができる。
【実施例５】
【０１５９】
次に、実施例５の釣り用おもりについて説明する。実施例５の釣り用おもり５−５は、図１９〜図２２に示すように構成され、おもり体１００と、餌付け針３０と、下方構成部９００と、を有している。餌付け針３０と、垂下体７００とは、おもり体１００に取り付けられている。
【０１６０】
ここで、おもり体１００と、餌付け針３０と、おもり体１００に設けられた道糸連結部１３０及びハリス連結補助部１４０とについては、実施例３及び実施例４の釣り用おもり５−３、５−４が有する構成と共通の構成を有するものであるので、図１９〜図２２において、上記共通部分については、同一の符号を付して表し、共通部分の詳細な説明については、ここでは省略する。以下、下方構成部９００と、ハリス連結部（連結部）９３０と、について説明する。
【０１６１】
下方構成部９００は、おもり体１００の本体部１１０から垂下された垂下体９１０と、垂下体９１０における本体部１１０側とは反対側の端部から連設されたアーム状部９２０と、アーム状部９２０の先端に設けられたハリス連結部９３０とを有し、ハリス連結部９３０は、アーム状部９２０における垂下体９１０側とは反対側の端部から連設されている。
【０１６２】
具体的には、垂下体９１０と、アーム状部９２０と、ハリス連結部９３０とは、ステンレススチール製（真鍮製でもよい）の１本の線条材から形成され、該線条材は、その一方の端部から、一方の端部と他方の端部との中間に位置する第１箇所Ｔ１までの領域（直線状の領域）を垂下体９１０の領域とし、第１箇所Ｔ１から、第１箇所Ｔ１と他方の端部との間であり、他方の端部の近くに位置する第２箇所Ｔ２までの領域（曲線状に湾曲した領域）をアーム状部９２０の領域とし、第２箇所Ｔ２から他方の端部までの領域をハリス連結部９３０の領域としており、下方構成部９００は、アーム状部９２０の領域を垂下体９１０の領域に対し、所定向きに屈曲することにより、垂下体９１０とアーム状部９２０とが角度をなした状態に形成され、ハリス連結部９３０は、ハリス連結部９３０の領域を上記所定向きと同一向き（つまり、上向き）に巻回することにより環形状に形成され、垂下体９１０と、アーム状部９２０と、ハリス連結部９３０と、の各部が同一平面方向に沿って形成されている。アーム状部９２０は、ハリス連結部９３０側にいくほど垂下体９１０の仮想延長線Ｗ（仮想延長線Ｗは、垂下体９１０の軸心を下方に延長した仮想線である）から離れるように形成されている。
【０１６３】
そして、下方構成部９００は、おもり体１００の本体部１１０を鋳造する際、本体部１１０の中に下方構成部９００の一部のみを埋設することにより、本体部１１０における所定部位に固定されている。つまり、下方構成部９００は、その上端部であり、垂下体９１０におけるアーム状部９２０側とは反対側の端部が、餌付け針３０の平面方向（つまり、特定平面方向）と、本体部１１０の下部側表面とが交わる線上に位置する所定部位で、餌付け針３０の軸部３２の背３２ｂの後方に位置する所定部位に固定され、当該部位から、餌付け針３０の軸部３２に沿って、垂下体９１０が下方に伸び、アーム状部９２０が餌付け針３０の下方に向けて屈曲され、餌付け針３０の下方となる位置において、上記平面方向（餌付け針３０が形成された平面方向）に沿って伸びており、アーム状部９２０から連設されたハリス連結部９３０は、餌付け針３０の下端より下側（上下方向における下側）（具体的には、餌付け針３０の真下又はその近傍）に位置している。
【０１６４】
ここで、潮切り板部１２０と、餌付け針３０と、下方構成部９００との位置関係について確認する。図１９、図２２に示すように、潮切り板部１２０は、本体部１１０の側面部における母線（中心軸線Ｃ方向に沿った線）上から、本体部１１０の径方向外向き（遠心方向）に突出している。餌付け針３０は、その各部（全体）が同一平面方向に沿って形成され、本体部１１０の底面部において、軸部３２が、その腹３２ａを潮切り板部１２０に向けた状態で、潮切り板部１２０の突出方向と同一方向の径方向線Ｒ上から垂下されている。つまり、潮切り板部１２０と餌付け針３０とは、同一平面方向に沿って形成されている。
【０１６５】
下方構成部９００は、その各部（全体）が同一平面方向に沿って形成されている。本体部１１０の底面部において、垂下体９１０は、潮切り板部１２０の突出方向と同一方向の径方向線Ｒ上であって、餌付け針３０の軸部３２の背３２ｂの後方に位置する部位から垂下されており、アーム状部９２０は、餌付け針３０の下方に位置している。つまり、餌付け針３０と下方構成部９００とは、同一平面方向に沿って形成されている。つまりは、潮切り板部１２０と、餌付け針３０（すなわち、軸部３２と、湾曲部３４と、針先部３６と、カエシ部３８）と、下方構成部９００（つまり、垂下体９１０と、アーム状部９２０と、ハリス連結部９３０）とは、同一平面方向に沿って形成され、ハリス連結部９３０は、餌付け針３０の下方において、餌付け針３０の真下又はその近傍に位置している。
【０１６６】
また、潮切り板部１２０は、本体部１１０の側面部における母線（中心軸方向に沿った線）上から、本体部１１０の径方向外向き（遠心方向）に突出している。
【０１６７】
餌付け針３０は、その各部（全体）が同一平面方向に沿って形成され、本体部１１０の底面部において、軸部３２が、潮切り板部１２０の突出方向と同一方向の径方向線Ｒ上から垂下しており、軸部３２の腹３２ａ側（針先部３６側）を潮切り板部１２０に向けている。つまり、潮切り板部１２０と餌付け針３０とは、同一平面方向に沿って配置されている。
【０１６８】
下方構成部９００は、その各部（全体）が同一平面方向に沿って形成されている。本体部１１０の底面部において、垂下体９１０は、潮切り板部１２０の突出方向と同一方向の径方向線Ｒ上であって、餌付け針３０の軸部３２の背３２ｂ側の位置から垂下しており、ハリス連結部９３０は、餌付け針３０の直下に配置されている。つまり、餌付け針３０と下方構成部９００とは、同一平面方向に沿って配置されている。
【０１６９】
つまりは、潮切り板部１２０と、餌付け針３０と、下方構成部９００とは、同一平面方向（同一の平面方向としてもよい）（この方向が特定平面方向となる）に配向され、下方構成部９００の下端に設けられたハリス連結部９３０は、餌付け針３０の下方において、餌付け針３０の直近に配置されている。
【０１７０】
実施例５の釣り用おもり５−５は、以上のように構成され、これを使用する際には、図２２に示すように、まず、道糸連結部１３０に道糸Ｌを連結し、ハリス連結部９３０にハリスＨ等を介して掛け針Ｎを連結することにより、釣り用仕掛けを組み立てる。
【０１７１】
次に、餌付け針３０に釣り餌を掛け付け、当該仕掛けを海中に投下し、底取りを行った後、海底近くにある仕掛けを時々しゃくり、対象魚のフグを誘い寄せ、アタリを感知したら、釣り竿を立てつつ素早く短く引き上げ、フグに掛け針Ｎを引っ掛けて、リールを巻き上げ、フグを釣り上げる。
【０１７２】
なお、潮流が遅く、波の低い穏やかな状態であれば、ハリスの絡まりによる不具合が発生する危険性は低くなるので、潮切り板部１２０の下部に設けたハリス連結補助部１４０にもハリスＨを介して掛け針Ｎを連結してもよく、掛け針Ｎの数を増やすことで、掛け針Ｎがフグに掛かる確率を上げ、釣果の向上を図ることができる。
【０１７３】
この釣り用おもり５−５によれば、根掛かりによる不具合の発生を防止することができる。つまり、釣り用おもり５−５は、おもり体１００の下部から垂下された垂下体９１０が、餌付け針３０の軸部３２に沿って下方に伸び、この垂下体９１０の下端部から連設されたアーム状部９２０が、餌付け針３０側に屈曲され、餌付け針３０の下方となる位置において、餌付け針３０が形成された平面方向に沿って伸びているので、仕掛けを海中に投下した後の底取りの際、おもり体１００は、垂下体９１０とアーム状部９２０とにより、海底に対し支持され、餌付け針３０は、その真下がアーム状部９２０によって、ガードされることから、餌付け針３０は着底せず、餌付け針３０による根掛かりの発生を防止することができる。
【０１７４】
また、垂下体９１０が、餌付け針３０の軸部３２の背３２ｂの後方に設けられているので、軸部３２の腹３２ａ側である針先部３６側にはフグの餌への接近を妨げるものがなく、集魚性がよい。
【０１７５】
また、釣り用おもり５−５によれば、短いハリスＨを使用することにより、ハリスＨが絡まったり、掛け針Ｎが引っ掛かったりする不具合の発生を防止することができる。
【０１７６】
つまり、釣り用おもり５−５は、ハリス連結部９３０が餌付け針３０よりも下方に位置しているので、例えば、ハリスＨを使わなくても、連結金具類だけで餌付け針３０の下方に掛け針Ｎを配置することができ、また、ハリスＨを使用する場合でも、ハリス連結金具が餌付け針よりも上方に設けられている従来の一般的なフグ釣り用仕掛けの場合よりも短いハリスＨでよいので、仕掛けの沈降中や、フグを誘うためのしゃくり動作により、ハリスＨ及び掛け針Ｎを上下動させた際、ハリスＨが非対象物に絡まったり、掛け針Ｎが非対象物に引っ掛かったりする可能性が低い。
【０１７７】
また、餌付け針３０の下方において、掛け針Ｎが餌付け針３０の間近に位置していることから、掛け針Ｎを引き上げる際、フグに動きを察知されても逃げられずに、掛け針Ｎをフグに引っ掛けることができる可能性が高い。
【０１７８】
また、釣り用おもり５−５は、潮切り板部１２０により、潮流中で本体部１１０を潮流の上流側とし、潮切り板部１２０を下流側とした態勢で安定状態となるが、潮切り板部１２０と、餌付け針３０と、下方構成部９００とが、同一平面方向に沿って形成されているので、針先部３６を下流側とした餌付け針３０と、ハリス連結部９３０とが、潮流方向に沿って並び、ハリスＨ及び掛け針Ｎは上記平面方向に沿ってたなびくこととなるから、適切な長さのハリスＨを使用することにより、掛け針Ｎは、上記平面方向における餌付け針３０よりも下方で、かつ、餌付け針３０よりも下流の位置で漂う。また、フグ等の魚類は、その習性により、基本的には潮流に対向して泳ぐ。そのため、上記安定状態の餌付け針３０に対し、フグは下流側から接近してくる。つまり、釣り用おもり５−５によれば、餌付け針３０の餌を啄むために近付いたフグの間近下方に掛け針Ｎを漂わせることができ、その状態から釣り竿をしゃくり上げることにより、掛け針Ｎがフグに掛かる可能性が高い。
【０１７９】
さらには、下方構成部９００が１本の線条材から一体的に形成され、線条材は、安価で、加工が容易な資材であるので、線条材を利用することにより、製造コスト低く抑えることができる。
【０１８０】
以上のように、上記各実施例の釣り用おもり５−１〜５−５によれば、下方構成部Ａ１〜Ａ４、９００により、海底に対しおもり体１０、１００を支持することができ、このことにより、底取りの際に餌付け針３０が海底に接触しないようにして、餌付け針３０による根掛かりの発生を防止することができ、また、アーム状部５２、８４１、８４２、９２０により、餌付け針３０の下方がガードされているので、より確実に餌付け針３０による根掛かりの発生を防止し、根掛かりによる不具合の発生を防止することができる。また、ハリスＨを介して掛け針Ｎを連結するためのハリス連結部５４、８５１、８５２、９３０が、餌付け針３０よりも下方に位置しているので、従来の一般的なフグ釣り用おもりを使用する場合に比べて、ハリスＨの長さを短くすることができ、このことにより、ハリスＨが絡まったり、掛け針Ｎが引っ掛かったりすることによる不具合の発生を防止することができる。また、垂下体４０、７００、９１０が、餌付け針３０の軸部３２の背３２ｂの後方に設けられているので、軸部３２の腹３２ａ側である針先部３６側にはフグの餌への接近を妨げるものがなく、集魚性がよい。また、餌付け針３０の下方において、掛け針Ｎが餌付け針３０の間近に位置していることから、掛け針Ｎを引き上げる際、フグに動きを察知されても逃げられずに、掛け針Ｎをフグに引っ掛けることができる可能性が高い。よって、上記各実施例の釣り用おもり５−１〜５−５によれば、フグ釣りにおける効率を向上させ、釣果の向上を図ることができる。
【０１８１】
なお、上記の各実施例の説明において、ハリス連結部５４、８５１、８５２、９３０は、線条材の先端領域を上向きに巻回することにより形成されているとしたが、上向きでなくてもよく、例えば、下向きに巻回してもよいし、横向き（右向きや左向き）に巻回して形成してもよい。
【符号の説明】
【０１８２】
５−１、５−２、５−３、５−４、５−５  釣り用おもり
１０  おもり体
２０  道糸連結部
３０  餌付け針
３２  軸部
３２ａ  腹
３２ｂ  背
３４  湾曲部
３６  針先部
３８  カエシ部
Ａ１、Ａ２、Ａ３、Ａ４、９００  下方構成部
４０、７００  垂下体
５０  アーム状ユニット
５２  アーム状部
５２ａ  基部
５２ｂ  アーム状部本体
５４  ハリス連結部
５６  固定具
６０  ハリス連結補助部
１００  おもり体
１２０  潮切り板部
１２２ａ、１２２ｂ  潮切り面
１２２ｃ  端面部
１３０  道糸連結部
１４０  ハリス連結補助部
７６０  固定具
８００  アーム状ユニット群
８０１、８０２  アーム状ユニット
８４１、８４２  アーム状部
８４１ａ、８４２ａ  基部
８４１ｂ、８４２ｂ  アーム状部本体
８５１、８５２  ハリス連結部
９１０  垂下体
９２０  アーム状部
９３０  ハリス連結部
Ｌ  道糸
Ｈ  ハリス
Ｎ  掛け針
Ｎ１  環状部
Ｎ２  針体
Ｎ３  結束糸
Ｓ  スナップ
Ｐ１  第１箇所
Ｐ２  第２箇所
Ｑ０  中央箇所
Ｑ１  第１箇所
Ｑ２  第２箇所
Ｑ３  第３箇所
Ｑ４  第４箇所
Ｔ１  第１箇所
Ｔ２  第２箇所
【図１】
2015080417.tif 000003
【図２】
2015080417.tif 000004
【図３】
2015080417.tif 000005
【図４】
2015080417.tif 000006
【図５】
2015080417.tif 000007
【図６】
2015080417.tif 000008
【図７】
2015080417.tif 000009
【図８】
2015080417.tif 000010
【図９】
2015080417.tif 000011
【図１０】
2015080417.tif 000012
【図１１】
2015080417.tif 000013
【図１２】
2015080417.tif 000014
【図１３】
2015080417.tif 000015
【図１４】
2015080417.tif 000016
【図１５】
2015080417.tif 000017
【図１６】
2015080417.tif 000018
【図１７】
2015080417.tif 000019
【図１８】
2015080417.tif 000020
【図１９】
2015080417.tif 000021
【図２０】
2015080417.tif 000022
【図２１】
2015080417.tif 000023
【図２２】
2015080417.tif 000024